(57)【特許請求の範囲】
【請求項１】
マルチメディアブロードキャストマルチキャストサービス（ＭＢＭＳ）を管理するための方法であって、
基地局のカバレッジエリア内で動作している間にＭＢＭＳのコンテンツを受信することと、
前記基地局の前記カバレッジエリアの外側で動作することへの移行を検知することと、  前記ＭＢＭＳの前記コンテンツの中継を要求するピア発見信号をブロードキャストすることと、ここで、前記ピア発見信号が前記ＭＢＭＳの識別子を備えることを特徴とする、  を備える方法。
【請求項２】
前記基地局の前記カバレッジエリア内で動作している１つまたは複数のデバイスから１つまたは複数のピア発見信号を受信することと、ここで、前記１つまたは複数のピア発見信号は、前記ＭＢＭＳの前記コンテンツを中継する前記１つまたは複数のデバイスの能力を示す、
前記ＭＢＭＳの前記コンテンツを中継するために前記基地局の前記カバレッジエリア内で動作している前記デバイスのうちの１つを識別することと、
をさらに備える、請求項１に記載の方法。
【請求項３】
前記基地局の前記カバレッジエリア内で動作している識別されたデバイスとのダイレクトリンクを確立すること、ここで、前記識別されたデバイスは、前記ＭＢＭＳの前記コンテンツのためのＭＢＭＳ中継デバイスである、
をさらに備える、請求項１に記載の方法。
【請求項４】
前記基地局への再送のために、前記ＭＢＭＳのコンテンツまたはユニキャストデータを、前記基地局の前記カバレッジエリア内で動作している識別されたデバイスに送信すること
をさらに備える、請求項１に記載の方法。
【請求項５】
ページングメッセージを、前記基地局の前記カバレッジエリア内で動作している識別されたデバイスに送信することと、ここで、前記ページングメッセージは、前記識別されたデバイスにデータを送信したいという望みを示す、
前記ページングメッセージの送信に続いて、前記データを前記識別されたデバイスに送信することと、
をさらに備える、請求項１に記載の方法。
【請求項６】
前記基地局の前記カバレッジエリアの外側で動作することへの前記移行を検知することは、前記基地局の前記カバレッジエリアの外側で動作するよりも前または後に生じる、請求項１に記載の方法。
【請求項７】
前記ピア発見信号は、ロングタームエボリューション（ＬＴＥ（登録商標））ダイレクトピア発見信号を備える、請求項１に記載の方法。
【請求項８】
マルチメディアブロードキャストマルチキャストサービス（ＭＢＭＳ）を管理するための装置であって、
基地局のカバレッジエリア内で動作している間にＭＢＭＳのコンテンツを受信するための手段と、
前記基地局の前記カバレッジエリアの外側で動作することへの移行を検知するための手段と、
前記ＭＢＭＳの前記コンテンツの中継を要求するピア発見信号をブロードキャストするための手段と、ここで、前記ピア発見信号が前記ＭＢＭＳの識別子を備えることを特徴とする、
を備える装置。
【請求項９】
マルチメディアブロードキャストマルチキャストサービス（ＭＢＭＳ）を管理するための方法であって、
ＭＢＭＳクエリと、ＭＢＭＳの識別子とを備える第１のピア発見信号をモバイルデバイスから受信することと、
前記ＭＢＭＳのコンテンツを中継するかどうかを決定することと、
前記ＭＢＭＳの前記コンテンツを中継するとの決定を受けて、前記ＭＢＭＳの前記コンテンツを中継する能力を示す第２のピア発見信号を送信することと
を備える方法。
【請求項１０】
前記第２のピア発見信号を送信することは、
ダイレクトリンクを確立するためにページングメッセージをカバレッジ外モバイルデバイスに送信すること
を備える、請求項９に記載の方法。
【請求項１１】
前記ＭＢＭＳの前記コンテンツを中継するかどうかを決定することは、
前記ＭＢＭＳのコンテンツが受信可能であるかどうかを決定するためにＭＢＭＳ制御チャネル（ＭＣＣＨ）を獲得すること
を含む、請求項９に記載の方法。
【請求項１２】
ページングメッセージを前記モバイルデバイスに送信することと、ここで、前記ページングメッセージは、前記モバイルデバイスにデータを送信したいという望みを示す、
前記ページングメッセージの送信に続いて、前記データを前記モバイルデバイスに送信することと
をさらに備える、請求項９に記載の方法。
【請求項１３】
前記ＭＢＭＳの前記コンテンツを中継するとの決定を受けて、現在のステータスをＭＢＭＳ中継ステータスにエスカレートさせること
をさらに備える、請求項９に記載の方法。
【請求項１４】
前記ＭＢＭＳの前記識別子は、一時的モバイルグループ識別子（ＴＭＧＩ）を備える、請求項１または９に記載の方法。
【請求項１５】
前記第１および第２のピア発見信号は、ロングタームエボリューション（ＬＴＥ）ダイレクトピア発見信号である、請求項９に記載の方法。
【請求項１６】
マルチメディアブロードキャストマルチキャストサービス（ＭＢＭＳ）を管理するための装置であって、
ＭＢＭＳクエリと、ＭＢＭＳの識別子とを備える第１のピア発見信号をモバイルデバイスから受信するための手段と、
前記ＭＢＭＳのコンテンツを中継するかどうかを決定するための手段と、
前記ＭＢＭＳの前記コンテンツを中継するとの決定を受けて、前記ＭＢＭＳの前記コンテンツを中継する能力を示す第２のピア発見信号を送信するための手段と
を備える装置。
【請求項１７】
請求項１〜７および９〜１５のいずれか一項に記載の方法を行うためにプロセッサによって実行可能な命令を記憶した非一時的なコンピュータ可読記録媒体。
【発明の詳細な説明】
【相互参照】
【０００１】
[0001]  本願は、本願の譲受人に譲渡された、２０１３年７月３０日に出願された、Ｗｕ等による「Continuing Multimedia Broadcast Multicast Services for Out-of-Coverage Devices」と題する米国特許出願第１３／９５４７６４号の優先権を主張する。
【背景技術】
【０００２】
[0002]  ワイヤレス通信ネットワークは、多数のモバイルデバイスまたはユーザ機器（ＵＥ）のために通信をサポートすることができる多数の基地局、ノードＢ、またはｅノードＢ（ｅＮＢ）を含み得る。ＵＥは、ダウンリンクおよびアップリンクを介して基地局と通信し得る。ダウンリンク（すなわち、順方向リンク）は、基地局からＵＥへの通信リンクを指し、アップリンク（すなわち、逆方向リンク）は、ＵＥから基地局への通信リンクを指す。
【０００３】
[0003]  ３ＧＰＰ（登録商標）セルラネットワークでは、ブロードキャストおよびマルチキャストサービスが、マルチメディアブロードキャストマルチキャストサービス（ＭＢＭＳ）と呼ばれるトランスポートサービスを介してトランスポートされる。ブロードキャストマルチキャストサービスセンタ（ＢＭ−ＳＣ）サーバは、加入者のグループへのメディアコンテンツの拡散を担う。また、グループへの情報の配信を望むＵＥは、ＢＭ−ＳＣサーバに情報を送ることができ、その後、該ＢＭ−ＳＣサーバがコンテンツをグループのメンバに配信する。ＵＥが、ＭＢＭＳを使用しているときに、ネットワークカバレッジの外に移動すると、ＢＭ−ＳＣサーバへのアップリンクおよびダウンリンク接続がもはや利用できないので、ＵＥは、ＭＢＭＳを使用し続けることができない。
【発明の概要】
【０００４】
[0004]  説明される特徴は一般に、マルチメディアブロードキャストマルチキャストサービス（ＭＢＭＳ）を管理するための１つまたは複数の改善された方法、システム、および／または装置に関する。
【０００５】
[0005]  ＭＢＭＳを管理するための方法が説明される。一構成では、ＭＢＭＳのコンテンツは、基地局のカバレッジエリア内で動作している間に受信され得る。基地局のカバレッジエリアの外側で動作することへの移行が検知され得る。ＭＢＭＳのコンテンツの中継を要求するピア発見信号が送信され得る。ピア発見信号は、ＭＢＭＳの識別子を含み得る。
【０００６】
[0006]  方法のいくつかの実施形態では、１つまたは複数のピア発見信号は、基地局のカバレッジエリア内で動作している１つまたは複数のデバイスから受信され得る。１つまたは複数のピア発見信号は、ＭＢＭＳのコンテンツを中継する１つまたは複数のデバイスの能力を示し得る。
【０００７】
[0007]  方法のいくつかの実施形態では、基地局のカバレッジエリア内で動作しているデバイスのうちの１つが、ＭＢＭＳのコンテンツを中継するために識別され得る。
【０００８】
[0008]  方法のいくつかの実施形態では、ダイレクトリンクが、基地局のカバレッジエリア内で動作している識別されたデバイスと確立され得る。識別されたデバイスは、ＭＢＭＳのコンテンツのためのＭＢＭＳ中継デバイスであり得る。
【０００９】
[0009]  方法のいくつかの実施形態では、ＭＢＭＳのコンテンツは、基地局への再送のために、基地局のカバレッジエリア内で動作している識別されたデバイスに送信され得る。
【００１０】
[0010]  方法のいくつかの実施形態では、ユニキャストデータは、基地局への再送のために、基地局のカバレッジエリア内で動作している識別されたデバイスに送信され得る。
【００１１】
[0011]  方法のいくつかの実施形態では、ページングメッセージは、基地局のカバレッジエリア内で動作している識別されたデバイスに送信され得る。ページングメッセージは、識別されたデバイスにデータを送信したいという望みを示し得る。ページングメッセージの送信に続いて、データが、識別されたデバイスに送信され得る。
【００１２】
[0012]  方法のいくつかの実施形態では、基地局のカバレッジエリアの外側で動作することへの移行を検知することは、基地局のカバレッジエリアの外側で動作するよりも後に生じ得る。
【００１３】
[0013]  方法のいくつかの実施形態では、基地局のカバレッジエリアの外側で動作することへの移行を検知することは、基地局のカバレッジエリアの外側で動作するよりも前に生じ得る。
【００１４】
[0014]  方法のいくつかの実施形態では、ＭＢＭＳの識別子は、一時的モバイルグループ識別子（ＴＭＧＩ：temporary mobile group identifier）を含み得る。
【００１５】
[0015]  方法のいくつかの実施形態では、ピア発見信号は、ロングタームエボリューション（ＬＴＥ（登録商標））ダイレクトピア発見信号を含み得る。
【００１６】
[0016]  ＭＢＭＳを管理するための装置もまた説明される。一構成では、装置は、基地局のカバレッジエリア内で動作している間にＭＢＭＳのコンテンツを受信するための手段と、基地局のカバレッジエリアの外側で動作することへの移行を検知するための手段と、ＭＢＭＳのコンテンツの中継を要求するピア発見信号をブロードキャストするための手段とを含み得る。ピア発見信号は、ＭＢＭＳの識別子を含み得る。
【００１７】
[0017]  ＭＢＭＳを管理するための別の装置もまた説明される。一構成では、装置は、プロセッサと、このプロセッサと電子的に通信状態にあるメモリと、このメモリに記憶された命令とを含み得る。命令は、基地局のカバレッジエリア内で動作している間にＭＢＭＳのコンテンツを受信することと、基地局のカバレッジエリアの外側で動作することへの移行を検知することと、ＭＢＭＳのコンテンツの中継を要求するピア発見信号をブロードキャストすることとを行うためにプロセッサによって実行可能であり得る。ピア発見信号は、ＭＢＭＳの識別子を含み得る。
【００１８】
[0018]  ＭＢＭＳを管理するためのコンピュータプログラム製品もまた説明される。コンピュータプログラム製品は、命令を記憶した非一時的なコンピュータ可読媒体を含み得、これら命令は、基地局のカバレッジエリア内で動作している間にＭＢＭＳのコンテンツを受信することと、基地局のカバレッジエリアの外側で動作することへの移行を検知することと、ＭＢＭＳのコンテンツの中継を要求するピア発見信号をブロードキャストすることとを行うためにプロセッサによって実行可能であり得る。ピア発見信号は、ＭＢＭＳの識別子を含み得る。
【００１９】
[0019]  ＭＢＭＳを管理するための別の方法もまた説明される。一構成では、モバイルデバイスについてのカバレッジ外ステータスインジケータ（out-of-coverage status indicator）またはＭＢＭＳクエリと、ＭＢＭＳの識別子とを含む第１のピア発見信号が、モバイルデバイスから受信され得る。ＭＢＭＳのコンテンツを中継すべきかどうかに関する決定がなされ得る。ＭＢＭＳのコンテンツを中継するとの決定を受けて、ＭＢＭＳのコンテンツを中継する能力を示す第２のピア発見信号が送信され得る。
【００２０】
[0020]  方法のいくつかの実施形態では、第２のピア発見信号を送信することは、ダイレクトリンクを確立するためにページングメッセージをカバレッジ外モバイルデバイス（out-of-coverage mobile device）に送信することを含み得る。
【００２１】
[0021]  方法のいくつかの実施形態では、ＭＢＭＳのコンテンツを中継するかどうかを決定することは、ＭＢＭＳのコンテンツが受信され得るかどうかを決定するためにＭＢＭＳ制御チャネル（ＭＣＣＨ）を獲得することを含み得る。
【００２２】
[0022]  方法のいくつかの実施形態では、ページングメッセージは、モバイルデバイスに送信され得る。ページングメッセージは、モバイルデバイスにデータを送信したいという望みを示し得る。ページングメッセージの送信に続いて、データが、モバイルデバイスに送信され得る。
【００２３】
[0023]  方法のいくつかの実施形態では、現在のステータスは、ＭＢＭＳのコンテンツを中継するとの決定を受けて、ＭＢＭＳ中継ステータスにエスカレートされ得る。
【００２４】
[0024]  方法のいくつかの実施形態では、ＭＢＭＳの識別子は、一時的モバイルグループ識別子（ＴＭＧＩ）を含み得る。
【００２５】
[0025]  方法のいくつかの実施形態では、第１および第２のピア発見信号は、ロングタームエボリューション（ＬＴＥ）ダイレクトピア発見信号であり得る。
【００２６】
[0026]  ＭＢＭＳを管理するための装置もまた説明される。一構成では、装置は、モバイルデバイスから第１のピア発見信号を受信するための手段と、ＭＢＭＳのコンテンツを中継するかどうかを決定するための手段と、ＭＢＭＳのコンテンツを中継するとの決定を受けてＭＢＭＳのコンテンツを中継する能力を示す第２のピア発見信号を送信するための手段とを含み得る。第１のピア発見信号は、モバイルデバイスについてのカバレッジ外ステータスインジケータまたはＭＢＭＳクエリと、ＭＢＭＳの識別子とを含み得る。
【００２７】
[0027]  ＭＢＭＳを管理するための別の装置もまた説明される。装置は、プロセッサと、このプロセッサと電子的に通信状態にあるメモリと、このメモリに記憶された命令とを含み得る。これら命令は、モバイルデバイスから第１のピア発見信号を受信することと、ＭＢＭＳのコンテンツを中継するかどうかを決定することと、ＭＢＭＳのコンテンツを中継するとの決定を受けてＭＢＭＳのコンテンツを中継する能力を示す第２のピア発見信号を送信することとを行うためにプロセッサによって実行可能であり得る。第１のピア発見信号は、モバイルデバイスについてのカバレッジ外ステータスインジケータまたはＭＢＭＳクエリと、ＭＢＭＳの識別子とを含み得る。
【００２８】
[0028]  ＭＢＭＳを管理するためのコンピュータプログラム製品もまた説明される。コンピュータプログラム製品は、命令を記憶した非一時的なコンピュータ可読媒体を備え得、これら命令は、モバイルデバイスから第１のピア発見信号を受信することと、ＭＢＭＳのコンテンツを中継するかどうかを決定することと、ＭＢＭＳのコンテンツを中継するとの決定を受けてＭＢＭＳのコンテンツを中継する能力を示す第２のピア発見信号を送信することとを行うためにプロセッサによって実行可能であり得る。第１のピア発見信号は、モバイルデバイスについてのカバレッジ外ステータスインジケータまたはＭＢＭＳクエリと、ＭＢＭＳの識別子とを含み得る。
【００２９】
[0029]  説明される方法および装置の適用性のさらなる範囲は、以下の詳細な説明、特許請求の範囲、および図面から明らかとなるであろう。詳細な説明および特定の例は、この説明の精神および範囲内の様々な変更および修正が当業者に明らかとなるであろうことから、例示のみを目的として与えられる。
【００３０】
[0030]  本発明の性質および利点のさらなる理解が、以下の図面を参照することによって実現され得る。添付の図では、同様の構成要素または特徴は、同じ参照ラベルを有し得る。さらに、同じタイプの様々な構成要素は、参照ラベルの後に、ダッシュと、それらの同様の構成要素を区別する第２のラベルが続くことで区別され得る。第１の参照ラベルのみが明細書において使用される場合、その説明は、第２の参照ラベルにかかわらず、第１の参照ラベルが同じである同様の構成要素のうちの任意の１つに適用可能である。
【図面の簡単な説明】
【００３１】
【図１】[0031]  図１は、ワイヤレス通信システムの例のブロック図である。
【図２】[0032]  図２は、様々な実施形態に係る、ワイヤレス通信が管理され得る環境の例のブロック図である。
【図３】[0033]  図３は、様々な実施形態に係る、基地局のカバレッジエリア内で動作するモバイルデバイスと、基地局のカバレッジエリアの外で動作するモバイルデバイスとの間の通信の一実施形態を例示するメッセージフロー図である。
【図４】[0034]  図４は、様々な実施形態に係る、モバイルデバイスの例のブロック図である。
【図５】[0035]  図５は、様々な実施形態に係る、ピア発見モジュールの例のブロック図である。
【図６】図６は、様々な実施形態に係る、ピア発見モジュールの例のブロック図である。
【図７】[0036]  図７は、様々な実施形態に係る、ＭＢＭＳを管理するための様々な方法のフローチャートである。
【図８】図８は、様々な実施形態に係る、ＭＢＭＳを管理するための様々な方法のフローチャートである。
【図９】図９は、様々な実施形態に係る、ＭＢＭＳを管理するための様々な方法のフローチャートである。
【図１０】図１０は、様々な実施形態に係る、ＭＢＭＳを管理するための様々な方法のフローチャートである。
【詳細な説明】
【００３２】
[0037]  ワイヤレス通信システムの基地局は、カバレッジエリアに関連付けられる。モバイルデバイスが基地局のカバレッジエリアの外側に移動すると、それは、基地局が関連付けられたそのワイヤレス通信システムを介したサービスを失い得る。サービスの損失は、いくつかのケースでは、モバイルデバイスがサービスを失う前に参加していたＭＢＭＳの損失を含み得る。ワイヤレスなピア・ツー・ピアグループ通信では、ＭＢＭＳサービスの損失は２つの結果を招く。第１に、カバレッジ外デバイスが、例えば、ＢＭ−ＳＣサーバのようなサーバによって配信されるＭＢＭＳコンテンツをもはや受信することができない。第２に、カバレッジ外デバイスの自己生成コンテンツが、例えば、ＢＭ−ＳＣサーバのようなサーバにアップロードされること、および、ＭＢＭＳサービスによって他のグループピアに配信されることができない。ＭＢＭＳへの継続した参加を提供するために、モバイルデバイスは、例えば、ＢＭ−ＳＣサーバのようなサーバからのトラフィックとサーバへのトラフィックの両方について、カバレッジ内デバイスをＭＢＭＳ中継器として使用し得る。より具体的には、および一例として、モバイルデバイスは、ＭＢＭＳのコンテンツの中継を要求する第１のピア発見信号をブロードキャストし得る。次いで、第１のピア発見信号を受信する基地局のカバレッジエリア内のデバイス（および、場合によっては別のモバイルデバイス）は、それが、ＭＢＭＳのコンテンツを中継する能力があるかどうかを決定し得る。カバレッジ内デバイスがＭＢＭＳコンテンツを中継する能力がある場合、それは、ＭＢＭＳコンテンツを中継するその能力を含む第２のピア発見信号をモバイルデバイスに送信し得る。モバイルデバイスは、複数のカバレッジ内デバイスの各々からそのような第２のピア発見信号を受信し得、次いで、ＭＢＭＳのコンテンツを中継するデバイスのうちの１つを識別し、それとのダイレクトリンク（例えば、ピア・ツー・ピアリンク）を確立し得る。ＭＢＭＳ中継器とカバレッジ外デバイスとの間のこのピア・ツー・ピアリンクは、ユニキャスト、マルチキャスト、またはブロードキャストリンクの形をとり得る。いくつかのケースでは、ピア発見信号は、ロングタームエボリューション（ＬＴＥ）ダイレクトピア発見信号であり得る。
【００３３】
[0038]  以下の説明は、例を提供するものであり、特許請求の範囲で示される範囲、適用性、または構成を限定するものではない。本開示の精神および範囲から逸脱することなく、説明される要素の機能および配置に対して変更がなされ得る。様々な実施形態は、様々なプロシージャまたは構成要素を適宜省略、置換、または追加し得る。例えば、説明される方法は、説明されるものとは異なる順序で行われ得、様々なステップが、追加、省略、または組み合わせられ得る。また、ある特定の実施形態に関連して説明される特徴は、他の実施形態では組み合わせられ得る。
【００３４】
[0039]  まず図１を参照すると、図は、ワイヤレス通信システム１００の例を示している。ワイヤレス通信システム１００は、基地局（またはセル）１０５、通信デバイス１１５、およびコアネットワーク１３０を含む。基地局１０５は、基地局コントローラ（示されない）の制御下で通信デバイス１１５と通信し得、これは、様々な実施形態では、コアネットワーク１３０または基地局１０５の一部であり得る。基地局１０５は、バックホールリンク１３２を通じて、コアネットワーク１３０と制御情報および／またはユーザデータを通信し得る。複数の実施形態では、基地局１０５は、直接的または間接的のいずれかで、ワイヤードまたはワイヤレス通信リンクであり得るバックホールリンク１３４を通して互いに通信し得る。システム１００は、複数のキャリア（異なる周波数の波形信号）上での動作をサポートし得る。マルチキャリア送信機は、複数のキャリア上で変調信号を同時に送信することができる。例えば、各通信リンク１２５は、上述された様々な無線技術にしたがって変調されたマルチキャリア信号であり得る。各変調信号は、異なるキャリア上で送られ得、制御情報（例えば、基準信号、制御チャネル、等）、オーバヘッド情報、データ、等を搬送し得る。
【００３５】
[0040]  基地局１０５は、１つまたは複数の基地局アンテナを介してデバイス１１５とワイヤレスに通信し得る。基地局１０５サイトの各々は、それぞれのカバレッジエリア１１０のために通信カバレッジを提供し得る。いくつかの実施形態では、基地局１０５は、トランシーバ基地局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の適切な用語で呼ばれ得る。基地局のためのカバレッジエリア１１０は、カバレッジエリア（示されない）のほんの一部を構成するセクタに分割され得る。システム１００は、異なるタイプの基地局１０５（例えば、マクロ、マイクロ、および／またはピコ基地局）を含み得る。技術によっては、重複したカバレッジエリアが存在し得る。
【００３６】
[0041]  複数の実施形態では、システム１００は、ＬＴＥ／ＬＴＥ−Ａネットワークであり得る。ＬＴＥ／ＬＴＥ−Ａネットワークでは、発展型ノードＢ（ｅＮＢ）およびユーザ機器（ＵＥ）という用語は、概して、それぞれ基地局１０５およびデバイス１１５を説明するために使用され得る。システム１００は、異なるタイプのｅＮＢが様々な地理的領域にカバレッジを提供する異種ＬＴＥ／ＬＴＥ−Ａネットワークであり得る。例えば、各ｅＮＢ１０５は、マクロセル、ピコセル、フェムトセル、および／または他のタイプのセルのために通信カバレッジを提供し得る。マクロセルは一般に、比較的広い地理的エリア（例えば、半径数キロメートル）をカバーし、ネットワークプロバイダにサービス加入しているＵＥによる無制限のアクセスを可能にし得る。ピコセルは一般に、比較的狭い地理的エリアをカバーし、ネットワークプロバイダにサービス加入しているＵＥによる無制限のアクセスを可能にし得る。フェムトセルもまた一般に、比較的狭い地理的エリア（例えば、家）をカバーし、無制限のアクセスに加えて、このフェムトセルと関連があるＵＥ（例えば、クローズド加入者グループ（ＣＳＧ）のＵＥ、家の中にいるユーザのＵＥ、等）による制限付のアクセスも提供し得る。マクロセルのためのｅＮＢはマクロｅＮＢと呼ばれ得る。ピコセルのためのｅＮＢはピコｅＮＢと呼ばれ得る。そして、フェムトセルのためのｅＮＢは、フェムトｅＮＢまたはホームｅＮＢと呼ばれ得る。ｅＮＢは、１つまたは複数（例えば、２つ、３つ、４つ、等）のセルをサポートし得る。
【００３７】
[0042]  コアネットワーク１３０は、バックホールリンク１３２（例えば、Ｓ１、等）を介してｅＮＢ１０５と通信し得る。ｅＮＢ１０５は、また、バックホールリンク１３４（例えば、Ｘ２、等）および／またはバックホールリンク１３２を介して（例えば、コアネットワーク１３０を通じて）、例えば、直接的または間接的に、互いに通信し得る。ワイヤレス通信システム１００は、同期動作または非同期動作をサポートし得る。同期動作の場合、ｅＮＢは、同様のフレームタイミングを有し得、異なるｅＮＢからの送信は、時間的におおまかにアラインされ得る。非同期動作の場合、ｅＮＢは、異なるフレームタイミングを有し得、異なるｅＮＢからの送信は、時間的にアラインされない可能性がある。本明細書において説明される技法は、同期動作または非同期動作のどちらにも使用され得る。
【００３８】
[0043]  ＵＥ１１５は、ワイヤレス通信システム１００中に分散しており、各ＵＥは、据置式または可動式あり得る。ＵＥ１１５はまた、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、中継器、または何らかの他の適切な用語で呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、等であり得る。ＵＥは、マクロｅＮＢ、ピコｅＮＢ、フェムトｅＮＢ、中継器、等と通信することができ得る。一実施形態では、基地局１０５のカバレッジエリア内のＵＥ１１５は、基地局１０５のカバレッジエリアの外側にあるＵＥ１１５−ａのためのデータの中継器として機能し得る。例えば、カバレッジ内ＵＥ１１５は、基地局１０５から受信された通信を、カバレッジ外ＵＥ１１５−ａに中継（または、再送）し得る。同様に、カバレッジ内ＵＥ１１５は、カバレッジ外ＵＥから受信された通信を、基地局１０５に中継し得る。いくつかのケースでは、中継されたデータは、ＭＢＭＳのコンテンツを含み得る。
【００３９】
[0044]  ワイヤレス通信システム１００において示される通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は、順方向リンク送信とも呼ばれ得、アップリンク送信は、逆方向リンク送信とも呼ばれ得る。
【００４０】
[0045]  図２は、本システムおよび方法が実装され得る環境２００の例のブロック図である。一構成では、基地局１０５−ａは、基地局１０５−ａのカバレッジエリア１１０−ａの範囲内にある１つまたは複数のデバイスと通信し得る。一例では、カバレッジ内モバイルデバイス１１５−ｂ−１（または、中継サービスを提供するする能力がある他のデバイス）は、基地局１０５−ａからの／への通信を受信／送信し得る。１つまたは複数のモバイルデバイス１１５−ｂ−２、１１５−ｂ−３、１１５−ｂ−４、１１５−ｂ−５は、基地局１０５ａのカバレッジエリア１１０−ａの外側にあり得る。基地局１０５−ａおよびモバイルデバイス１１５−ｂは、図１に関連して説明された基地局１０５およびモバイルデバイス１１５の例であり得る。
【００４１】
[0046]  一実施形態では、カバレッジ内モバイルデバイス１１５−ｂ−１は、第１のピア発見信号２０５を、カバレッジ外モバイルデバイス（例えば、モバイルデバイス１１５−ｂ−２）から受信し得る。第１のピア発見信号は、モバイルデバイス１１５−ｂ−２についてのカバレッジ外ステータス（または、ＭＢＭＳクエリ）に加え、モバイルデバイス１１５−ｂ−２が参加することを望むＭＢＭＳの識別子を含み得る。次いで、カバレッジ内モバイルデバイス１１５−ｂ−１は、ＭＢＭＳのコンテンツを中継するかどうかを決定し得る。ＭＢＭＳのコンテンツを中継するとの決定を受けて、カバレッジ内モバイルデバイス１１５−ｂ−１は、ＭＢＭＳのコンテンツを中継する能力を示す第２のピア発見信号２０５を送信し得る。
【００４２】
[0047]  ピア発見信号２０５は、いくつかのケースでは、ＬＴＥダイレクトピア発見信号であり得る。一構成では、各信号２０５は、送信側デバイス１１５−ｂの識別子を含み得る。識別子は、いくつかのケースでは、送信側デバイス１１５−ｂの媒体アクセス制御（ＭＡＣ）アドレスであり得る。カバレッジ内モバイルデバイス１１５−ｂ−１のケースでは、第２のピア発見信号２０５は、モバイルデバイス１１５−ｂ−１のＭＢＭＳ中継ステータスおよび／またはカバレッジ外モバイルデバイス１１５−ｂ−２とのダイレクトリンクを確立するためにページングメッセージを含み得る。ＭＢＭＳ中継ステータスは、カバレッジ内モバイルデバイス１１５−ｂ−１が、モバイルデバイス１１５−ｂ−２に中継サービスを提供する能力があるかどうかを示し得る。第２のピア発見信号２０５はまた、モバイルデバイス１１５−ｂ−１が、カバレッジ外モバイルデバイス１１５−ｂ−２が関心のあるＭＢＭＳのコンテンツを中継する能力があるかどうかを示し得る。
【００４３】
[0048]  一例では、カバレッジ外モバイルデバイスは、１つよりも多くのカバレッジ内モバイルデバイスから第２のピア発見信号を受信し得る。次いで、カバレッジ外モバイルデバイスは、中継サービスを提供するための、カバレッジ内モバイルデバイスのうちの１つを選択し得る。どのカバレッジ内モバイルデバイスを選択するかについての決定は、受信されたピア発見信号の比較強度、カバレッジ内モバイルデバイスの識別情報、カバレッジ内モバイルデバイスのＭＢＭＳ中継ステータス、等に基づき得る。
【００４４】
[0049]  一構成では、カバレッジ外モバイルデバイス１１５−ｂ−２は、基地局１０５−ａのカバレッジエリア１１０−ａの外側で動作するよりも後に第１のピア発見信号２０５をブロードキャストし得る。別の構成では、カバレッジ外モバイルデバイス１１５−ｂ−２は、基地局１０５−ａのカバレッジエリア１１０−ａの外側で動作するよりも前に第１のピア発見信号２０５をブロードキャストし得る。例えば、モバイルデバイス１１５−ｂ−２は、それが、基地局のカバレッジエリア１１０−ａを出ようとしていると決定し（例えば、受信された通信の減少しつつある（declining）信号強度に基づいて）、第１のピア発見信号２０５を積極的にブロードキャストし得る。
【００４５】
[0050]  一例では、カバレッジ外モバイルデバイス１１５−ｂ−２、１１５−ｂ−３は、互いに通信し得る。例えば、モバイルデバイス１１５−ｂ−２、１１５−ｂ−３は、ダイレクトピア・ツー・ピア接続を確立し得る。カバレッジ内モバイルデバイス１１５−ｂ−１はまた、１つまたは複数のカバレッジ外モバイルデバイスに中継サービスを提供し得る。一構成では、第１のカバレッジ外モバイルデバイス１１５−ｂ−４は、第２のカバレッジ外モバイルデバイス１１５−ｂ−５のためのＭＢＭＳ中継デバイスとして機能し得る。第１のカバレッジ外モバイルデバイス１１５−ｂ−４は、それ（１１５−ｂ−４）が、中継サービスを提供する能力があることを第２のカバレッジ外モバイルデバイス１１５−ｂ−５に知らせるためにピア発見信号２０５を送信し得る。別の例として、第２のカバレッジ外モバイルデバイス１１５−ｂ−５は、第１のカバレッジ外モバイルデバイス１１５−ｂ−４から中継サービスを要求する信号２０５を送信し得る。結果として、カバレッジ内モバイルデバイス１１５−ｂ−１は、第１のカバレッジ外ＵＥ１１５−ｂ−４から／に基地局１０５−ａへの／からの通信を中継し得る。第１のカバレッジ外モバイルデバイス１１５−ｂ−４は、第２のカバレッジ外モバイルデバイス１１５−ｂ−５からの／への通信の少なくとも一部を中継し得る。
【００４６】
[0051]  図３は、カバレッジ内モバイルデバイス１１５−ｃ−１（または、中継サービスを提供する能力がある他のデバイス）と、モバイルデバイス１１５−ｃ−２との間の通信の一実施形態を例示するメッセージフロー図３００である。モバイルデバイス１１５−ｃは、図１および／または２に関連して説明されたモバイルデバイス１１５の例であり得る。
【００４７】
[0052]  一構成では、ブロック３０５において、モバイルデバイス１１５−ｃ−２は、最初、基地局１０５のカバレッジエリア内で動作し、基地局１０５からＭＢＭＳのコンテンツを受信し得る。ブロック３１０において、モバイルデバイス１１５−ｃ−２は、基地局１０５に対するカバレッジ内動作からカバレッジ外動作への移行（例えば、基地局１０５のカバレッジエリアの外側での動作への移行）を検知し得る。モバイルデバイス１１５−ｃ−２は、基地局１０５のカバレッジエリアの外側で動作するよりも前または後に、カバレッジ外動作への移行を検知し得る。前者のケースでは、モバイルデバイス１１５−ｃ−２は、例えば、それが基地局１０５から受信する通信の減少しつつある信号強度に基づいて、カバレッジ外動作への移行を検知し得る。
【００４８】
[0053]  カバレッジ外動作への移行の検知を受けて、カバレッジ外モバイルデバイス１１５−ｃ−２は、第１のピア発見信号３１５をブロードキャストし得る。第１のピア発見信号３１５は、基地局１０５のカバレッジエリア内で動作している間にそれが参加していたＭＢＭＳの識別子を含み得る。第１のピア発見信号は、ＬＴＥダイレクト、Ｗｉ−Ｆｉダイレクト、Ｗｉ−Ｆｉアドホック、ブルートゥース（登録商標）、および／または他の無線アクセス技術を使用して送信され得る。ＭＢＭＳの識別子は、ＭＢＭＳを提供する基地局１０５がＬＴＥ／ＬＴＥ−Ａ／ＵＭＴＳ基地局であるとき、一時的モバイルグループ識別子（ＴＭＧＩ）を含み得る。
【００４９】
[0054]  第１のピア発見信号３１５の受信を受けて、カバレッジ内モバイルデバイス１１５−ｃ−１は、ブロック３２０において、ＭＢＭＳのコンテンツを中継するかどうかを決定し得る。この決定は、カバレッジ内モバイルデバイス１１５−ｃ−１が、ＭＢＭＳ識別子、例えばＴＭＧＩ、によって指定されるＭＢＭＳコンテンツを受信することができるかどうかに基づき得る。この決定はまた、カバレッジ内モバイルデバイス１１５−ｃ−１の利用可能なバッテリ電力または帯域幅、第１のピア発見信号の強度、カバレッジ内モバイルデバイス１１５−ｃ−１が中継サービスを別のカバレッジ外モバイルデバイスにすでに提供しているかどうか、カバレッジ外モバイルデバイス１１５−ｃ−２によって要求される中継サービスのタイプ、等に基づき得る。ＭＢＭＳのコンテンツを中継するとの決定を受けて、カバレッジ内モバイルデバイス１１５−ｃ−１は、ＭＢＭＳのコンテンツを中継するその能力を示す第２のピア発見信号３２５をカバレッジ外モバイルデバイス１１５−ｃ−２に送信し得る。次いで、カバレッジ内モバイルデバイス１１５−ｃ−１およびカバレッジ外モバイルデバイス１１５−ｃ−２は、ＭＢＭＳコンテンツの送信のためのダイレクトリンク３３０（例えば、ピア・ツー・ピアリンク）を確立し得る。カバレッジ内モバイルデバイス（すなわち、ＭＢＭＳ中継デバイス）とカバレッジ外モバイルデバイスとの間のこのダイレクトピア・ツー・ピアリンク３３０は、ユニキャスト、マルチキャスト、またはブロードキャストリンクの形をとり得る。
【００５０】
[0055]  データは、ダイレクトリンクを介してカバレッジ外モバイルデバイス１１５−ｃ−２によって受信および／または送信され得る。いくつかのケースでは、これは、カバレッジ外モバイルデバイス１１５−ｃ−２において、カバレッジ内モバイルデバイス１１５−ｃ−１によって基地局１０５から中継されるＭＢＭＳのコンテンツを受信することを含み得る。他のケースでは、これは、基地局１０５への再送のために、カバレッジ外モバイルデバイス１１５−ｃ−２からカバレッジ内モバイルデバイス１１５−ｃ−１へのピア・ツー・ピアグループ通信のコンテンツを送信することを含み得る。次いで、基地局１０５は、コンテンツを、例えば、ＢＭ−ＳＣサーバのようなサーバに送り得、サーバは、このコンテンツをＭＢＭＳの他の加入者にブロードキャストし得る。さらに他のケースでは、ダイレクトリンクを介してデータを送信することは、基地局１０５への再送のために、カバレッジ外モバイルデバイス１１５−ｃ−２からカバレッジ内モバイルデバイス１１５−ｃ−１にユニキャストデータを送信することを含み得る。
【００５１】
[0056]  データをカバレッジ外モバイルデバイス１１５−ｃ−２に送信する前に、カバレッジ内モバイルデバイス１１５−ｃ−１は、ページングメッセージをカバレッジ外モバイルデバイス１１５−ｃ−２に送信し得る。このページングメッセージは、カバレッジ外モバイルデバイス１１５−ｃ−２にデータを送信したいというカバレッジ内モバイルデバイス１１５−ｃ−１の望みを示し得る。データをカバレッジ内モバイルデバイス１１５−ｃ−１に送信する前に、カバレッジ外モバイルデバイス１１５−ｃ−２は、ページングメッセージをカバレッジ内デバイス１１５−ｃ−１に送信し得る。このページングメッセージは、カバレッジ内モバイルデバイス１１５−ｃ−１にデータを送信したいというカバレッジ外モバイルデバイス１１５−ｃ−２の望みを示し得る。カバレッジ内モバイルデバイス１１５−ｃ−１に送信されるデータは、基地局１０５に中継され得る。
【００５２】
[0057]  図４は、モバイルデバイス１１５−ｄのブロック図４００の例である。いくつかの実施形態では、モバイルデバイス１１５−ｄは、図１、２、および／または３に関連して説明されたモバイルデバイス１１５のうちの１つの１つまたは複数の態様を具現化し得る。モバイルデバイス１１５−ｄは、パーソナルコンピュータ（例えば、ラップトップコンピュータ、ネットブックコンピュータ、タブレットコンピュータ、等）、セルラ電話、ＰＤＡ、デジタルビデオレコーダ（ＤＶＲ）、インターネット電化製品、ゲーム機器、電子リーダ、等のような様々な構成のいずれかを有し得る。モバイルデバイス１１５−ｄは、モバイル動作を容易にするために、小型バッテリのような内蔵電源（示されない）を有し得る。
【００５３】
[0058]  モバイルデバイス１１５−ｄは、アンテナ４０５、トランシーバモジュール４１０、メモリ４１５、およびプロセッサモジュール４２５を含み得、それらは各々、直接的または間接的に、互いに通信状態にあり得る（例えば、１つまたは複数のバスを介して）。トランシーバモジュール４１０は、上述したように、アンテナ４０５および／または１つまたは複数のワイヤードまたはワイヤレスリンクを介して、１つまたは複数のネットワークと双方向で通信するように構成され得る。例えば、トランシーバモジュール４１０は、図１、２、および／または３の基地局１０５のうちの１つまたは複数と双方向で通信するように構成され得る。トランシーバモジュール４１０はまた、１つまたは複数の他のデバイス１１５のための中継器としてまたは１つまたは複数の他のモバイルデバイス１１５からの中継サービスを必要としているデバイスとして、１つまたは複数の他のモバイルデバイス１１５と通信するように構成され得る。トランシーバモジュール４１０は、パケットを変調し、変調されたパケットを送信のためにアンテナ４０５に提供し、アンテナ４０５から受信されたパケットを復調するように構成されたモデムを含み得る。モバイルデバイス１１５−ｄは、単一のアンテナを含み得るが、モバイルデバイス１１５−ｄは、典型的には、複数のリンクのために複数のアンテナ４０５を含むだろう。
【００５４】
[0059]  メモリ４１５は、ランダムアクセスメモリ（ＲＡＭ）および読取専用メモリ（ＲＯＭ）を含み得る。メモリ４１５は、実行されると、様々な機能（例えば、呼処理、データベース管理、メッセージルーティング、等）を行うことをプロセッサモジュール４２５に行わせるように構成された命令を含む、コンピュータ可読コンピュータ実行可能なソフトウェアコード４２０を記憶し得る。代替的に、ソフトウェアコード４２０は、プロセッサモジュール４２５によって直接的に実行可能でない場合があるが、本明細書で説明された機能のうちのいくつかを行うことをモバイルデバイス１１５−ｄに行わせる（例えば、コンパイルおよび実行されると）ように構成され得る。
【００５５】
[0060]  プロセッサモジュール４２５は、例えば、中央処理ユニット（ＣＰＵ）、マイクロコントローラ、特定用途向け集積回路（ＡＳＩＣ）、等のインテリジェントハードウェアデバイスを含み得る。プロセッサモジュール４２５は、マイクロフォンを介してオーディオを受信し、このオーディオを、受信されたオーディオを表すパケット（例えば、３０ｍｓの長さ）に変換し、オーディオパケットをトランシーバモジュール４１０に提供し、ユーザが話しているかどうかを示すインジケーションを提供するように構成されたスピーチエンコーダ（示されない）を含み得る。代替的に、エンコーダは、ユーザが話しているかどうかを示すインジケーションをパケット自体が提供することを条件としてまたはそれを差し控え／抑制しつつ、パケットをトランシーバモジュール４１０に提供するだけであり得る。
【００５６】
[0061]  図４のアーキテクチャによれば、モバイルデバイス１１５−ｄは、通信管理モジュール４３０、状態モジュール４３５、ピア発見モジュール４４０をさらに含み得る。通信管理モジュール４３０は、基地局１０５および／または他のモバイルデバイス１１５と通信を確立および管理し得、それには、基地局からのＭＢＭＳコンテンツの送信と、基地局１０５および／または他のモバイルデバイス１１５を介したＢＭ−ＳＣサーバへの関連データの送信が含まれる。例として、通信管理モジュール４３０は、モバイルデバイス１１５−ｄの他の構成要素のうちのいくつかまたはすべてとバスを介して通信状態にあるモバイルデバイス１１５−ｄの構成要素であり得る。代替的に、通信管理モジュール４３０の機能性は、トランシーバモジュール４１０の構成要素として、コンピュータプログラム製品として、および／またはプロセッサモジュール４２５の１つまたは複数のコントローラ要素として実装され得る。通信管理モジュール４３０は、いくつかのケースでは、ダイレクトリンク管理モジュール４６０を含み得る。モジュール４６０は、別のデバイス（例えば、別のモバイルデバイス）とのダイレクトリンク（例えば、ピア・ツー・ピアリンク）を確立するために使用され得る。中継器とカバレッジ外デバイスとの間のこのダイレクトピア・ツー・ピアリンクは、ユニキャスト、マルチキャスト、またはブロードキャストリンクの形をとり得る。
【００５７】
[0062]  状態モジュール４３５は、現在のデバイス状態（例えば、コンテキスト、認証、基地局アソシエーション、他の接続性問題）を反映および制御し得る。
【００５８】
[0063]  ピア発見モジュール４４０は、他のモバイルデバイス１１５にモバイルデバイス１１５−ｄを特定し得る。ピア発見モジュール４４０はまた、（１）基地局１０５のカバレッジエリアの外にあるモバイルデバイス１１５であって、該モバイルデバイス１１５をＭＢＭＳ中継デバイスとして使用し得るモバイルデバイス１１５、および／または（２）モバイルデバイス１１５−ｄが基地局１０５のカバレッジエリアの外にいるときにモバイルデバイス１１５−ｄに中継サービスを提供する能力があり得るカバレッジ内モバイルデバイス１１５のような、他のモバイルデバイス１１５を識別し得る。
【００５９】
[0064]  ピア発見モジュール４４０は、ステータスモジュール４４５、ＭＢＭＳ管理モジュール４５０、および／または検知モジュール４５５を含み得る。ステータスモジュール４４５は、モバイルデバイス１１５−ｄが、ＭＢＭＳ中継デバイスとして機能し、中継サービスを提供する能力があるかどうかを決定し得る。ステータスモジュール４４５はまた、モバイルデバイス１１５−ｄがＭＢＭＳ中継ステータスへ（または、ＭＢＭＳ中継ステータスから）移行するときを決定し得る。例えば、ステータスモジュール４４５は、モバイルデバイス１１５−ｄが、ＬＴＥダイレクト、Ｗｉ−Ｆｉダイレクト、Ｗｉ−Ｆｉアドホック、ブルートゥース、および／または他の能力、等を保持（possess）しようとしまいと、モバイルデバイス１１５−ｄの利用可能な電力または帯域幅を分析し得る。中継サービスを提供する能力があるとの決定を受けて、ステータスモジュール４４５は、モバイルデバイス１１５−ｄのステータスをＭＢＭＳ中継ステータスに移行させ得る。次いで、モバイルデバイス１１５−ｄは、ＭＢＭＳ中継デバイスとして機能する、モバイルデバイス１１５−ｄの能力を示すピア発見信号２０５を送信またはブロードキャストし得る。カバレッジ外モバイルデバイス１１５は、送信またはブロードキャストされた信号を受信し、モバイルデバイス１１５−ｄをＭＢＭＳ中継デバイスとして使用するかどうかを決定し得る。
【００６０】
[0065]  一構成では、ＭＢＭＳ管理モジュール４５０は、少なくとも１つのＭＢＭＳベアラサービスのために受信されたサービスアナウンスメント情報を分析し得る。このモジュール４５０は、少なくとも、サービスアナウンスメント情報のサブセットを識別し得る。ＭＢＭＳサービスアナウンスメント情報の識別されたサブセットは、そのＭＢＭＳ中継ステータスを示すピア発見信号とともに、１つまたは複数のカバレッジ外モバイルデバイスにブロードキャストされ得る。モバイルデバイス１１５−ｄは、ＭＢＭＳベアラサービスのコンテンツを１つまたは複数のカバレッジ外モバイルデバイスに中継し得る。
【００６１】
[0066]  検知モジュール４５５は、モバイルデバイス１１５−ｄが基地局１０５の範囲外に出ようとしているときを検知し得る。検知モジュール４５５はまた、モバイルデバイス１１５−ｄがすでに基地局１０５の範囲の外にあるときを決定し得る。モバイルデバイス１１５−ｄが、基地局１０５のカバレッジエリアの外に移行しようとしている（または、カバレッジエリアの外にすでに移行している）との検知を受けて、モバイルデバイス１１５−ｄは、中継サービスを要求するピア発見信号２０５をブロードキャストし得る。依然として基地局１０５のカバレッジエリア内にある１つまたは複数のモバイルデバイスは、このブロードキャストを受信し、中継サービスを提供するかどうかを決定し得る。
【００６２】
[0067]  モバイルデバイス１１５−ｄの構成要素は、個々にまたは集合的に、ハードウェアにおいて適用可能な機能のうちのいくつかまたはすべてを行うのに適した１つまたは複数の特定用途向け集積回路（ＡＳＩＣ）により実装され得る。代替的に、これら機能は、１つまたは複数の集積回路上で、１つまたは複数の他の処理ユニット（または、コア）によって行われ得る。他の実施形態では、他のタイプの集積回路（例えば、構造化（structured）／プラットフォームＡＳＩＣ、フィールドプログラマブルゲートアレイ（ＦＰＧＡ）、および他の半カスタムＩＣ）が使用され得、これらは、当技術分野で知られている任意の手法でプログラムされ得る。各ユニットの機能はまた、全体的にまたは部分的に、メモリ内で具現化される命令を用いて実装され、１つまたは複数の汎用または専用プロセッサによって実行されるようにフォーマットされ得る。上述されたモジュールの各々は、モバイルデバイス１１５−ｄの動作に関連した１つまたは複数の機能を行うための手段であり得る。
【００６３】
[0068]  図５は、ピア発見モジュール４４０−ａの例のブロック図５００である。いくつかの実施形態では、ピア発見モジュール４４０−ａは、図４に関連して説明されたピア発見モジュール４４０の１つまたは複数の態様の例であり得る。ピア発見モジュール４４０−ａは、検知モジュール４５５−ａ、ピア発見信号生成モジュール５１５、および／または、中継サービス獲得モジュール５２０を含み得る。これら構成要素の各々は、互いと通信状態にあり得る。いくつかの実施形態では、検知モジュール４５５−ａは、図４に関連して説明された検知モジュール４５５の１つまたは複数の態様の例であり得る。
【００６４】
[0069]  ピア発見モジュール４４０−ａの構成要素は、個々にまたは集合的に、ハードウェアにおいて適用可能な機能のうちのいくつかまたはすべてを行うのに適した１つまたは複数のＡＳＩＣにより実装され得る。代替的に、これら機能は、１つまたは複数の集積回路上で、１つまたは複数の他の処理ユニット（または、コア）によって行われ得る。他の実施形態では、他のタイプの集積回路（例えば、構造化／プラットフォームＡＳＩＣ、ＦＰＧＡ、および他の半カスタムＩＣ）が使用され得、これらは、当技術分野で知られている任意の手法でプログラムされ得る。各ユニットの機能はまた、全体的にまたは部分的に、メモリ内で具現化される命令を用いて実装され、１つまたは複数の汎用または専用プロセッサによって実行されるようにフォーマットされ得る。
【００６５】
[0070]  図５は、基地局１０５のカバレッジエリアの外側に移動するモバイルデバイス１１５に存在する場合、ピア発見モジュール４４０−ａが、ＭＢＭＳのコンテンツの中継を要求するピア発見信号をどのように生成するのかについての例を例示する。
【００６６】
[0071]  検知モジュール４５５−ａは、モバイルデバイス１１５が、基地局１０５のカバレッジエリアの外側に移動しているときを検知し得る。検知モジュール４５５−ａはまた、または代替的に、モバイルデバイス１１５が、基地局１０５のカバレッジエリアの外側に移動しようとしているときを検知し得る。これらの決定を支援するために、検知モジュール４５５−ａは、ロケーション決定モジュール５０５を含み得る。ロケーション決定モジュール５０５は、全地球測位システム（ＧＰＳ）座標および／または他のロケーション情報を使用してモバイルデバイス１１５のロケーションを検知し得、モバイルデバイス１１５が、基地局１０５のカバレッジエリアの外側にいる可能性が高いかどうかを決定（または、決定を支援）し得る。信号強度分析モジュール５１０はまた、または代替的に、モバイルデバイス１１５が、基地局１０５のカバレッジエリアの外側に移動しているかどうか（または、カバレッジエリアの外側に移動しようとしているかどうか）を決定するように使用され得る。いくつかのケースでは、信号強度分析モジュール５１０は、基地局通信の減少しつつある信号強度、および／または、閾値を下回る信号強度を有する基地局通信を、モバイルデバイス１１５が基地局１０５のカバレッジエリアの外側に移動したことを示すもの（モバイルデバイス１１５が基地局１０５のカバレッジエリアの外側に移動しようとしていることを示すもの）として解釈し得る。
【００６７】
[0072]  モバイルデバイス１１５が基地局１０５のカバレッジエリアの外側に移行しようとしている（または、カバレッジエリアの外側にすでに移行している）との検知を受けて、検知モジュール４５５−ａは、ＭＢＭＳのコンテンツの中継を要求するピア発見信号をブロードキャストすることをピア発見信号生成モジュール５１５に行わせ得る。ピア発見信号生成モジュール５１５は、いくつかのケースでは、ピア発見信号に含めるためのＭＢＭＳの識別子を生成するために、ＭＢＭＳ識別子モジュール５３０を含み得る。依然として基地局１０５のカバレッジエリア内にある１つまたは複数のモバイルデバイスは、ピア発見信号を受信し、識別されたＭＢＭＳのＭＢＭＳコンテンツをモバイルデバイス１１５に中継するかどうかを決定し得る。
【００６８】
[0073]  ピア発見信号は、いくつかのケースでは、ＬＴＥダイレクト、Ｗｉ−Ｆｉダイレクト、Ｗｉ−Ｆｉアドホック、またはブルートゥース発見信号であり得る。ＭＢＭＳの識別子は、ＭＢＭＳを提供する基地局１０５がＬＴＥ／ＬＴＥ−Ａ／ＵＭＴＳ基地局であるとき、ＴＭＧＩを含み得る。
【００６９】
[0074]  基地局１０５のカバレッジエリア内で動作している１つまたは複数のデバイスからの１つまたは複数のピア発見信号の受信を受けて、ここでは、１つまたは複数の信号が、識別されたＭＢＭＳのコンテンツを中継する１つまたは複数のデバイスの能力を示すが、図４に関連して説明されたダイレクトリンク管理モジュール４６０のようなモジュールは、ＭＢＭＳのコンテンツを中継する基地局１０５のカバレッジエリア内で動作しているデバイスのうちの１つを識別し得、基地局のカバレッジエリア内で動作している識別されたデバイスとのダイレクトリンク（例えば、ピア・ツー・ピアリンク）を確立し得る。識別されたデバイスは、ＭＢＭＳのコンテンツのためのＭＢＭＳ中継デバイスであり得る。
【００７０】
[0075]  図６は、ピア発見モジュール４４０−ｂの例のブロック図５００である。いくつかの実施形態では、ピア発見モジュール４４０−ｂは、図４に関連して説明されたピア発見モジュール４４０の１つまたは複数の態様の例であり得る。ピア発見モジュール４４０−ａは、ステータスモジュール４４５−ａおよび／またはピア発見信号生成モジュール５１５−ａを含み得る。これら構成要素の各々は、互いと通信状態にあり得る。いくつかの実施形態では、ステータスモジュール４４５−ａは、図４に関連して説明されたステータスモジュール４４５の例であり得、および／またはピア発見信号生成モジュール５１５−ａは、図５に関連して説明されたそれぞれのピア発見信号生成モジュール５１５の１つまたは複数の態様の例であり得る。
【００７１】
[0076]  ピア発見モジュール４４０−ｂの構成要素は、個々にまたは集合的に、ハードウェアにおいて適用可能な機能のうちのいくつかまたはすべてを行うのに適した１つまたは複数のＡＳＩＣにより実装され得る。代替的に、これら機能は、１つまたは複数の集積回路上で、１つまたは複数の他の処理ユニット（または、コア）によって行われ得る。他の実施形態では、他のタイプの集積回路（例えば、構造化／プラットフォームＡＳＩＣ、ＦＰＧＡ、および他の半カスタムＩＣ）が使用され得、これらは、当技術分野で知られている任意の手法でプログラムされ得る。各ユニットの機能はまた、全体的にまたは部分的に、メモリ内で具現化される命令を用いて実装され、１つまたは複数の汎用または専用プロセッサによって実行されるようにフォーマットされ得る。
【００７２】
[0077]  図６は、基地局１０５のカバレッジエリア内で動作するデバイス１１５内に存在するときに、ピア発見モジュール４４０−ｂが、識別されたＭＢＭＳのコンテンツを中継する能力を示すピア発見信号をどのように生成するかについての例を例示する。
【００７３】
[0078]  ステータスモジュール４４５−ａは、カバレッジ外モバイルデバイス１１５から第１のピア発見信号（すなわち、ピア発見信号Ａ）を受信し得る。第１のピア発見信号は、モバイルデバイス１１５についてのカバレッジ外ステータスインジケータ（または、ＭＢＭＳクエリ）に加え、ＭＢＭＳの識別子を含み得る。第１のピア発見信号は、いくつかのケースでは、ＬＴＥダイレクト、Ｗｉ−Ｆｉダイレクト、Ｗｉ−Ｆｉアドホック、またはブルートゥース発見信号であり得る。ＭＢＭＳの識別子は、ＭＢＭＳを提供する基地局１０５がＬＴＥ／ＬＴＥ−Ａ／ＵＭＴＳ基地局であるとき、ＴＭＧＩを含み得る。
【００７４】
[0079]  第１のピア発見信号の受信を受けて、ステータスモジュール４４５−ａは、ＭＢＭＳのコンテンツを中継するかどうかを決定し得る。コンテンツを中継するとの決定は、ピア発見モジュール４４０−ｂが実装されているカバレッジ内デバイスについてなされ得る。いくつかのケースでは、カバレッジ内デバイスは、モバイルデバイス１１５のうちの１つであり得る。他のケースでは、カバレッジ内デバイスは、ＭＢＭＳのコンテンツを中継する能力があるカバレッジ内デバイスの別の形式であり得る。
【００７５】
[0080]  いくつかの実施形態では、ステータスモジュール４４５−ａは、ＭＢＭＳ制御チャネル（ＭＣＣＨ）を獲得し得る。ＭＣＣＨに含まれる情報は、第１のピア発見信号で識別されたＭＢＭＳが、１つまたは複数の基地局からこのモバイルデバイスによって受信されることができるかどうかを決定するために使用され得る。
【００７６】
[0081]  いくつかのケースでは、ステータスモジュール４４５−ａは、ピア発見モジュールが実装されているデバイスの利用可能な動作電力が閾値を上回るかを決定するための電力分析モジュール６０５を含み得る。いくつかのケースでは、ステータスモジュール４４５−ａは単に、デバイスの利用可能な動作電力が動作電力閾値を上回ったとの決定を受けて、デバイスをＭＢＭＳ中継ステータスに移行させ得る。それ以外の場合、デバイスは、非中継ステータスに保たれ得る。このように、電力分析モジュール６０５は、例えば、デバイスが、カバレッジ外モバイルデバイス１１５によって、識別されたＭＢＭＳのコンテンツを中継するためだけでなく、それ自体の機能を提供するのに十分な動作電力を有するかどうかを決定し得る。
【００７７】
[0082]  ステータスモジュール４４５−ａはまた、デバイスの利用可能な送信帯域幅が閾値を上回るかどうかを決定するための帯域幅分析モジュール６１０を含み得る。いくつかのケースでは、ステータスモジュール４４５−ａは単に、デバイスの利用可能な帯域幅が利用可能な帯域幅閾値を上回ったとの決定を受けて、デバイスをＭＢＭＳ中継ステータスに移行させ得る。それ以外の場合、デバイスは、非中継ステータスに保たれ得る。このように、帯域幅分析モジュール６１０は、例えば、デバイスが、識別されたＭＢＭＳのコンテンツを中継するためだけでなく、それ自体の機能をサービスするのに十分な帯域幅を有することを確実にし得る。
【００７８】
[0083]  ステータスモジュール４４５−ａは、いくつかのケースでは、識別されたＭＢＭＳのコンテンツを中継するその能力を決定するときに、追加のまたは代替的な要因を分析し得る。例えば、ステータスモジュール４４５−ａは、候補ＭＢＭＳ中継デバイスがＬＴＥダイレクト能力を保持するかどうかを決定し得る。
【００７９】
[0084]  識別されたＭＢＭＳを中継するとの決定を受けて、ステータスモジュール４４５−ａは、ＭＢＭＳのコンテンツを中継する能力を示す第２のピア発見信号をブロードキャストすることをピア発見信号生成モジュール５１５−ａに行わせ得る。第１のピア発見信号を送信したカバレッジ外モバイルデバイス１１５は、第２のピア発見信号を受信し得る。第２のピア発見信号は、いくつかのケースでは、ＬＴＥダイレクト、Ｗｉ−Ｆｉダイレクト、Ｗｉ−Ｆｉアドホック、またはブルートゥース発見信号であり得る。
【００８０】
[0085]  図４に関連して説明されたダイレクトリンク管理モジュール４６０のようなモジュールは、カバレッジ外モバイルデバイス１１５とのダイレクトリンク（例えば、ピア・ツー・ピアリンク）を確立し得る。ＭＢＭＳ中継デバイスとカバレッジ外モバイルデバイス１１５との間のこのダイレクトピア・ツー・ピアリンクは、ユニキャスト、マルチキャスト、またはブロードキャストリンクの形をとり得る。
【００８１】
[0086]  いくつかの実施形態では、ステータスモジュール４４５−ａおよび／またはピア発見信号生成モジュール５１５−ａは、１つまたは複数のカバレッジ外モバイルデバイス１１５から受信された多数のピア発見信号（ピア発見信号Ａ，Ｂ，Ｃ，...，Ｎ）の各々に対して、上述された動作を行い得る。
【００８２】
[0087]  図７は、ＭＢＭＳを管理するための方法７００の実施形態を例示するフローチャートである。明瞭さのために、方法７００は、図１、２、３、および／または４に関連して説明されたモバイルデバイス１１５のうちの１つまたは複数の態様に関連して以下に示される。いくつかの実装では、図４および／または５に関連して説明されたピア発見モジュール４４０は、以下で説明される機能を行うようにモバイルデバイス１１５の機能要素を制御するためのコードの１つまたは複数のセットを実行し得る。
【００８３】
[0088]  ブロック７０５において、ＭＢＭＳのコンテンツは、図１および／または２に関連して説明された基地局１０５のうちの１つのような基地局のカバレッジエリア内で動作している間に受信され得る。いくつかのケースでは、コンテンツは、モバイルデバイス１１５によって受信され得る。モバイルデバイス１１５は、基地局１０５のカバレッジエリア内で動作し得る。いくつかの実施形態では、コンテンツは、図４に関連して説明された通信管理モジュール４３０を使用して、ブロック７０５において受信され得る。
【００８４】
[0089]  ブロック７１０において、基地局１０５のカバレッジの外側で動作することへの移行が検知され得る（例えば、モバイルデバイス１１５によって）。いくつかの実施形態では、この移行は、図４および／または５に関連して説明されたピア発見モジュール４４０および／または検知モジュール４５５を使用してブロック７１０において検知され得る。
【００８５】
[0090]  ブロック７１５において、ＭＢＭＳのコンテンツの中継を要求するピア発見信号がブロードキャストされ得る。ピア発見信号は、ＭＢＭＳの識別子を含み得る。いくつかの実施形態では、ピア発見信号は、図４および／または５に関連して説明されたピア発見モジュール４４０および／または図５に関連して説明されたピア発見信号生成モジュール５１５を使用してブロック７１５においてブロードキャストされ得る。
【００８６】
[0091]  したがって、方法７００は、ＭＢＭＳを管理するために使用され得る。方法７００は、単なる一実装形態であり、方法７００の動作は、他の実装形態が可能になるように再構成されるかあるいは他の何らかの形で修正され得ることに留意されたい。
【００８７】
[0092]  図８は、ＭＢＭＳを管理するための方法８００の実施形態を例示するフローチャートである。明瞭さのために、方法８００は、図１、２、３、および／または４に関連して説明されたモバイルデバイス１１５のうちの１つまたは複数の態様に関連して以下に示される。いくつかの実装では、図４および／または５に関連して説明されたピア発見モジュール４４０は、以下で説明される機能を行うようにモバイルデバイス１１５の機能要素を制御するためのコードの１つまたは複数のセットを実行し得る。
【００８８】
[0093]  ブロック８０５において、ＭＢＭＳのコンテンツは、図１および／または２に関連して説明された基地局１０５のうちの１つのような基地局のカバレッジエリア内で動作している間に受信され得る。いくつかのケースでは、コンテンツは、モバイルデバイス１１５によって受信され得る。モバイルデバイス１１５は、基地局１０５のカバレッジエリア内で動作し得る。いくつかの実施形態では、コンテンツは、図４に関連して説明された通信管理モジュール４３０を使用してブロック８０５において受信され得る。
【００８９】
[0094]  ブロック８１０において、基地局１０５のカバレッジの外側で動作することへの移行が検知され得る（例えば、モバイルデバイス１１５によって）。いくつかのケースでは、この移行は、基地局１０５のカバレッジエリアの外側で動作するよりも後に検知され得る。他のケースでは、この移行は、基地局１０５のカバレッジエリアの外側で動作するよりも前に検知され得る（例えば、基地局１０５との通信の低下する信号強度によって決定されるような、例えば、モバイルデバイス１１５が基地局１０５のカバレッジエリアを出ようとしているとき）。いくつかの実施形態では、この移行は、図４および／または５に関連して説明されたピア発見モジュール４４０および／または検知モジュール４５５を使用してブロック８１０において検知され得る。
【００９０】
[0095]  ブロック８１５において、ＭＢＭＳのコンテンツの中継を要求するピア発見信号がブロードキャストされ得る（例えば、モバイルデバイス１１５によって）。ピア発見信号は、ＭＢＭＳの識別子を含み得る。ピア発見信号は、いくつかのケースでは、ＬＴＥダイレクト、Ｗｉ−Ｆｉダイレクト、Ｗｉ−Ｆｉアドホック、またはブルートゥース発見信号であり得る。ＭＢＭＳの識別子は、ＭＢＭＳを提供する基地局１０５がＬＴＥ／ＬＴＥ−Ａ／ＵＭＴＳ基地局であるとき、ＴＭＧＩを含み得る。いくつかの実施形態では、ピア発見信号は、図４および／または５に関連して説明されたピア発見モジュール４４０および／または図５に関連して説明されたピア発見信号生成モジュール５１５を使用してブロック８１５においてブロードキャストされ得る。
【００９１】
[0096]  ブロック８２０において、ピア発見信号は、基地局のカバレッジエリア内で動作している１つまたは複数のデバイスから受信され得る（例えば、モバイルデバイス１１５において）。１つまたは複数の信号は、ＭＢＭＳのコンテンツを中継する１つまたは複数のデバイスの能力を示し得る。いくつかのケースでは、１つまたは複数の信号は、ＬＴＥダイレクト、Ｗｉ−Ｆｉダイレクト、Ｗｉ−Ｆｉアドホック、またはブルートゥース発見信号であり得る。
【００９２】
[0097]  ブロック８２５において、ＭＢＭＳのコンテンツを中継するために基地局のカバレッジエリア内で動作しているデバイスのうちの１つが識別され得る。
【００９３】
[0098]  いくつかの実施形態では、ブロック８２０および／または８２５での動作は、図４および／または５に関連して説明されたピア発見モジュール４４０および／または図５に関連して説明された中継サービス獲得モジュール５２０を使用して行われ得る。
【００９４】
[0099]  ブロック８３０において、基地局のカバレッジエリア内で動作している識別されたデバイスとのダイレクトリンク（例えば、ピア・ツー・ピアリンク）が確立され得る（例えば、モバイルデバイス１１５と識別されたデバイスとの間に）。識別されたデバイスは、ＭＢＭＳのコンテンツのためのＭＢＭＳ中継デバイスであり得る。いくつかの実施形態では、ダイレクトリンクは、図４に関連して説明された通信管理モジュール３３０および／またはダイレクトリンク管理モジュール４６０を使用してブロック８３０において確立され得る。
【００９５】
[0100]  ブロック８３５において、データが、ダイレクトリンクを介して受信および／または送信され得る。いくつかのケースでは、これは、基地局１０５のカバレッジエリア内で動作している識別されたデバイスからＭＢＭＳのコンテンツを受信することを含み得る。他のケースでは、これは、基地局１０５を介したおよび／または基地局１０５のカバレッジエリア内で動作している他のモバイルデバイスを介したＢＭ−ＳＣサーバへの関連データの送信を含み得る。次いで、ＢＭ−ＳＣサーバは、ＭＢＭＳのコンテンツを、ＭＢＭＳの他の加入者にブロードキャストし得る。さらに他のケースでは、ダイレクトリンクを介してデータを送信することは、ユニキャストデータ（例えば、基地局１０５のカバレッジエリアの外側で動作しているモバイルデバイス１１５から、基地局１０５のカバレッジエリア内で動作している識別されたデバイスに送信されたユニキャストデータ）を送信することを含み得る。
【００９６】
[0101]  データを受信する前に、ページングメッセージが受信され得る。ページングメッセージは、受信側（例えば、モバイルデバイス１１５）にデータを送信したいというＭＢＭＳ中継デバイスの望みを示し得る。データを送信する前に、ページングメッセージが送信され得る（例えば、モバイルデバイス１１５によって）。送信されたページングメッセージは、ＭＢＭＳ中継デバイスにデータを送信したいという望みを示し得る。ページングメッセージの送信に続いて、データが、ＭＢＭＳ中継デバイスに送信され得る。
【００９７】
[0102]  したがって、方法８００は、ＭＢＭＳを管理するために使用され得る。方法８００は、単なる一実装形態であり、方法８００の動作は、他の実装形態が可能になるように再構成されるかあるいは他の何らかの形で修正され得ることに留意されたい。
【００９８】
[0103]  図９は、ＭＢＭＳを管理するための方法９００の実施形態を例示するフローチャートである。明瞭さのために、方法９００は、図１、２、３、および／または４に関連して説明されたモバイルデバイス１１５のうちの１つまたは複数の態様に関連して以下に示される。いくつかの実装では、図４および／または６に関連して説明されたピア発見モジュール４４０は、以下で説明される機能を行うようにモバイルデバイス１１５の機能要素を制御するためのコードの１つまたは複数のセットを実行し得る。
【００９９】
[0104]  ブロック９０５において、第１のピア発見信号は、モバイルデバイス１１５から受信され得る。ピア発見信号は、モバイルデバイスについてのカバレッジ外ステータスインジケータまたはＭＢＭＳクエリと、ＭＢＭＳの識別子とを含み得る。カバレッジ外ステータスインジケータは、モバイルデバイスが、基地局１０５のカバレッジエリアの外側にいることを示し得る。ＭＢＭＳクエリは、識別されたＭＢＭＳに参加するためのクエリであり得る。
【０１００】
[0105]  ブロック９１０において、ＭＢＭＳのコンテンツを中継するかどうかに関する決定がなされ得る。
【０１０１】
[0106]  いくつかの実施形態では、ブロック９０５および／または９１０での動作は、図４および／または６に関連して説明されたピア発見モジュール４４０および／またはステータスモジュール４４５を使用して行われ得る。
【０１０２】
[0107]  ブロック９１５において、ブロック９１０でのＭＢＭＳのコンテンツを中継するとの決定を受けて、ＭＢＭＳのコンテンツを中継する能力を示す第２のピア発見信号が送信され得る。いくつかの実施形態では、第２のピア発見信号は、図４および／または６に関連して説明されたピア発見モジュール４４０および／または図６に関連して説明されたピア発見信号生成モジュール５１５を使用してブロック９１５において送信され得る。
【０１０３】
[0108]  方法９００は、基地局１０５のカバレッジエリア内のデバイスによって行われ得、いくつかのケースでは、別のモバイルデバイス１１５によって行われ得る。代替的に、方法９００は、固定のデバイスによって行われ得る。方法９００は、いくつかのケースでは、そのコアまたはミッション機能の１つとして中継サービスを提供するモバイルまたは固定のデバイスによって行われ得る。他のケースでは、方法９００は、二次機能として、必要なときに中継サービスを提供するモバイルまたは固定のデバイス（例えば、電話）によって行われ得る。
【０１０４】
[0109]  したがって、方法９００は、ＭＢＭＳを管理するために使用され得る。方法９００は、単なる一実装形態であり、方法９００の動作は、他の実装形態が可能になるように再構成されるかあるいは他の何らかの形で修正され得ることに留意されたい。
【０１０５】
[0110]  図１０は、ＭＢＭＳを管理するための方法１０００の実施形態を例示するフローチャートである。明瞭さのために、方法１０００は、図１、２、３、および／または４に関連して説明されたモバイルデバイス１１５のうちの１つまたは複数の態様に関連して以下に説明される。いくつかの実装では、図４および／または６に関連して説明されたピア発見モジュール４４０は、以下で説明される機能を行うようにモバイルデバイス１１５の機能要素を制御するためのコードの１つまたは複数のセットを実行し得る。
【０１０６】
[0111]  ブロック１００５において、第１のピア発見信号がモバイルデバイス１１５から受信され得る。ピア発見信号は、モバイルデバイスについてのカバレッジ外ステータスインジケータまたはＭＢＭＳクエリと、ＭＢＭＳの識別子とを含み得る。ピア発見信号は、いくつかのケースでは、ＬＴＥダイレクト、Ｗｉ−Ｆｉダイレクト、Ｗｉ−Ｆｉアドホック、またはブルートゥース発見信号であり得る。ＭＢＭＳの識別子は、ＭＢＭＳを提供する基地局１０５がＬＴＥ／ＬＴＥ−Ａ／ＵＭＴＳ基地局であるときＴＭＧＩを含み得る。ＭＢＭＳクエリは、識別されたＭＢＭＳに参加するためのクエリであり得る。
【０１０７】
[0112]  ブロック１０１０において、ＭＢＭＳ制御チャネル（ＭＣＣＨ）を獲得ようとする試みがなされ得る。ＭＣＣＨの獲得は、ＭＢＭＳのコンテンツが受信可能かどうかをデバイスが決定することを可能にする。
【０１０８】
[0113]  ブロック１０１５において、および、ＭＣＣＨの獲得に少なくとも部分的に基づいて、ＭＢＭＳのコンテンツを中継するかどうかに関する決定がなされ得る。ＭＢＭＳのコンテンツを中継するとの決定がなされると、方法１０００は、ブロック１０２０に進み得る。ＭＢＭＳのコンテンツを中継しないとの決定がなされると、方法１０００を行うデバイスは、ブロック１０２０において通常動作を継続し得る。
【０１０９】
[0114]  いくつかの実施形態では、ＭＢＭＳのコンテンツを中継するかどうかを決定するために、１つまたは複数の追加の要因が分析され得る。例えば、方法１０００を行うデバイスは、デバイスの利用可能な動作電力が閾値を上回るかどうか、またはデバイスの利用可能な送信帯域幅が閾値を上回るかどうかを決定し得る。デバイスはまた、カバレッジ外モバイルデバイス１１５から受信されるピア発見信号（１つまたは複数）の信号強度（１つまたは複数）のような、カバレッジ外モバイルデバイス１１５とのその通信を分析し得る。
【０１１０】
[0115]  いくつかの実施形態では、ブロック１００５、１０１０、１０１５、および／または１０２０における動作は、図４および／または６に関連して説明されたピア発見モジュール４４０および／またはステータスモジュール４４５を使用してなされ得る。
【０１１１】
[0116]  ブロック１０２５において、方法１０００を行うデバイスの現在のステータスは、ＭＢＭＳ中継ステータスであることが確認され得る。デバイスの現在のステータスが未だＭＢＭＳ中継ステータスではない場合、現在のステータスが、ＭＢＭＳ中継ステータスにエスカレートされ得る。ＭＢＭＳ中継ステータスは、基地局１０５とカバレッジ外モバイルデバイス１１５との間のＭＢＭＳ中継デバイスとして機能する、方法１０００を行うデバイスの能力を示し得る。
【０１１２】
[0117]  ブロック１０３０において、および、ブロック１０１５でのＭＢＭＳのコンテンツを中継するとの決定を受けて、ＭＢＭＳのコンテンツを中継する能力を示す第２のピア発見信号が送信され得る。いくつかのケースでは、第２のピア発見信号は、方法１０００を行うデバイスとのダイレクトリンク（例えば、ピア・ツー・ピアリンク）を確立するようにモバイルデバイス１１５に示す、モバイルデバイス１１５へのページングメッセージを含み得る。いくつかの実施形態では、第２のピア発見信号は、図４および／または６に関連して説明されたピア発見モジュール４４０および／または図６に関連して説明されたピア発見信号生成モジュール５１５を使用してブロック１０３０においてブロードキャストされ得る。
【０１１３】
[0118]  いくつかの実施形態では、第２のピア発見信号は、図４および／または６に関連して説明されたピア発見モジュール４４０および／または図６に関連して説明されたピア発見信号生成モジュール５１５を使用してブロック１０２５において送信され得る。
【０１１４】
[0119]  方法１０００は、基地局１０５のカバレッジエリア内のデバイスによって行われ得、いくつかのケースでは、別のモバイルデバイス１１５によって行われ得る。代替的に、方法１０００は、固定のデバイスによって行われ得る。方法１０００は、いくつかのケースでは、そのコアまたはミッション機能のうちの１つとして中継サービスを提供するモバイルまたは固定のデバイスによって行われ得る。他のケースでは、方法１０００は、二次機能として、必要なときに中継サービスを提供するモバイルまたは固定のデバイス（例えば、電話）によって行われ得る。
【０１１５】
[0120]  ブロック１０３５において、カバレッジ外モバイルデバイス１１５とのダイレクトリンク（例えば、ピア・ツー・ピアリンク）が確立され得る（例えば、モバイルデバイス１１５と方法１０００を行うデバイスとの間に）。いくつかの実施形態では、ダイレクトリンクは、図４に関連して説明された通信管理モジュール４３０および／またはダイレクトリンク管理モジュール４６０を使用してブロック１０３５において確立され得る。
【０１１６】
[0121]  ブロック１０４０において、データが、ダイレクトリンクを介して受信および／または送信され得る。いくつかのケースでは、これは、基地局１０５からカバレッジ外モバイルデバイス１１５にＭＢＭＳのコンテンツを送信することを含み得る。他のケースでは、これは、カバレッジ外モバイルデバイスから関連データを受信することと、基地局１０５を介してそれをＢＭ−ＳＣサーバに中継することとを含み得る。次いで、基地局１０５は、ＭＢＭＳのコンテンツを、ＭＢＭＳの他の加入者にブロードキャストし得る。さらに他のケースでは、ダイレクトリンクを介してデータを送信することは、カバレッジ外モバイルデバイス１１５からユニキャストデータを受信することと、ユニキャストデータを基地局１０５に中継することとを含み得る。
【０１１７】
[0122]  データを送信する前に、ページングメッセージが送信され得る。ページングメッセージは、データをカバレッジ外モバイルデバイス１１５に送信したいというＭＢＭＳ中継デバイスの望みを示し得る。カバレッジ外モバイルデバイス１１５からデータを受信する前に、ページングメッセージがカバレッジ外モバイルデバイス１１５から受信され得る。
【０１１８】
[0123]  したがって、方法１０００は、ＭＢＭＳを管理するために使用され得る。方法１０００は、単なる一実装形態であり、方法１０００の動作は、他の実装形態が可能になるように再構成されるかあるいは他の何らかの形で修正され得ることに留意されたい。
【０１１９】
[0124]  添付の図面に関連して上述された詳細な説明は、例示的な実施形態を説明しており、実装され得る実施形態または特許請求の範囲内にある実施形態のみを表すものではない。本明細書全体にわたって使用される「例示的な」という用語は、「好ましい」または「他の実施形態よりも有利である」ではなく、「例、実例、または例示として機能する」を意味する。詳細な説明は、説明された技法の理解を提供する目的で、特定の詳細を含む。しかしながら、これら技法は、これらの特定の詳細なしで実施され得る。いくつかの事例では、周知の構造およびデバイスは、説明された実施形態の概念を曖昧にしないために、ブロック図形式で示される。
【０１２０】
[0125]  本明細書で説明された技法は、ＣＤＭＡ、ＴＤＭＡ、ＦＤＭＡ、ＯＦＤＭＡ、ＳＣ−ＦＤＭＡのような様々なワイヤレス通信システムおよび他のシステムに使用され得る。「システム」および「ネットワーク」という用語は、交換可能に使用されることが多い。ＣＤＭＡシステムは、ＣＤＭＡ２０００、ＵＴＲＡ（Universal Terrestrial Radio Access）等の無線技術を実装し得る。ＣＤＭＡ２０００は、ＩＳ−２０００、ＩＳ−９５、およびＩＳ−８５６規格をカバーする。ＩＳ−２０００リリース０およびＡは、通称、ＣＤＭＡ２０００ １Ｘ、１Ｘ、等、と呼ばれ得る。ＩＳ−８５６（ＴＩＡ−８５６）は、通称、ＣＤＭＡ２０００ １ｘＥＶ−ＤＯ、高速パケットデータ（ＨＲＰＤ）、等と呼ばれ得る。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術を実装し得る。ＯＦＤＭＡシステムは、ウルトラモバイルブロードバンド（ＵＭＢ）、次世代ＵＴＲＡ（Ｅ−ＵＴＲＡ）、ＩＥＥＥ８０２.１１（Ｗｉ−Ｆｉ）、ＩＥＥＥ８０２.１６（ＷｉＭＡＸ）、ＩＥＥＥ８０２.２０、フラッシュＯＦＤＭ、等の無線技術を実装し得る。ＵＴＲＡおよびＥ−ＵＴＲＡは、ＵＭＴＳ（Universal Mobile Telecommunication System）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト（３ＧＰＰ）」という名称の団体からの文書に記載されている。ＣＤＭＡ２０００およびＵＭＢは、「第３世代パートナーシッププロジェクト２（３ＧＰＰ２）」という名称の団体からの文書に記載されている。本明細書で説明された技法は、上述されたシステムおよび無線技術だけでなく、他のシステムおよび無線技術に使用され得る。本技術はＬＴＥ適用を超えて適用可能であるが、以下の説明は、しかしながら、例示のためにＬＴＥシステムを説明し、以下の説明の大半ではＬＴＥ用語が使用される。
【０１２１】
[0126]  開示された様々な実施形態のうちのいくつかに順応（accommodate）し得る通信ネットワークは、層状プロトコルスタックにしたがって動作するパケットベースのネットワークであり得る。例えば、ベアラまたはパケットデータコンバージェンスプロトコル（ＰＤＣＰ）層における通信は、ＩＰベースであり得る。無線リンク制御（ＲＬＣ）層は、論理チャネルを通して通信するためにパケット分割および再構築を行い得る。媒体アクセス制御（ＭＡＣ）層は、トランスポートチャネルへの論理チャネルの多重化および優先処理を行い得る。ＭＡＣ層はまた、リンク効率を高めるために、ＭＡＣ層において再送を提供するためにハイブリッドＡＲＱ（ＨＡＲＱ）を使用し得る。物理層において、トランスポートチャネルは、物理チャネルにマッピングされ得る。
【０１２２】
[0127]  情報および信号は、多種多様な技術および技法のうちの任意のものを使用して表わされ得る。例えば、上記説明の全体にわたって参照され得るデータ、命令、コマンド、情報、信号、ビット、シンボル、およびチップは、電圧、電流、電磁波、磁場または磁性粒子、光場または光粒子、またはこれらの任意の組み合わせによって表され得る。
【０１２３】
[0128]  本明細書の開示に関連して説明された実例となる様々なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、あるいは本明細書で説明された機能を行うよう設計されたそれらの任意の組み合わせで実装され得るかまたは行われ得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組み合わせ、例えば、ＤＳＰと、１つのマイクロプロセッサ、複数のマイクロプロセッサ、ＤＳＰコアに連結した１つまたは複数のマイクロプロセッサ、または任意の他のそのような構成との組み合わせとして実装され得る。プロセッサは、いくつかのケースでは、メモリと電子的に通信状態にあり得、ここにおいて、メモリは、プロセッサによって実行可能な命令を記憶する。
【０１２４】
[0129]  本明細書で説明された機能は、ハードウェア、プロセッサによって実行されるソフトウェア、ファームウェア、またはこれらの任意の組み合わせで実装され得る。プロセッサによって実行されるソフトウェアで実装される場合、これら機能は、コンピュータ可読媒体上で、１つまたは複数の命令またはコードとして、記憶または送信され得る。他の例および実装は、添付の特許請求の範囲および本開示の精神および範囲内である。例えば、ソフトウェアの性質により、上述された機能は、プロセッサによって実行されるソフトウェア、ハードウェア、ファームウェア、ハードワイヤリング、またはこれらの任意の組み合わせを使用して実装され得る。機能を実装する特徴はまた、様々な位置に物理的に位置付けられ得、それは、それら機能の一部分が、異なる物理的ロケーションに実装されるように分散されることを含む。また、本明細書、特許請求の範囲を含む、で使用される場合、「〜のうちの少なくとも１つ」で終わる複数の項目からなるリストで使用される「または」は、例えば「Ａ、Ｂ、またはＣのうちの少なくとも１つ」のリストが、Ａ、Ｂ、Ｃ、ＡとＢ、ＡとＣ、ＢとＣ、またはＡとＢとＣ（すなわち、Ａ、Ｂ、およびＣ）を意味するような、離接的な（disjunctive）リストを示す。
【０１２５】
[0130]  コンピュータプログラム製品またはコンピュータ可読媒体は両方とも、ある箇所から別の箇所へのコンピュータプログラムの移送を容易にする任意の媒体を含む通信媒体およびコンピュータ可読記憶媒体を含む。記憶媒体は、汎用コンピュータまたは専用コンピュータによってアクセスされることができる任意の媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、命令またはデータ構造の形式で所望のコンピュータ可読プログラムコードを搬送または記憶するために使用されることができ、かつ、汎用コンピュータまたは専用コンピュータあるいは汎用プロセッサまたは専用プロセッサによってアクセスされることができる任意の他の媒体を備え得る。また、任意の接続は厳密にはコンピュータ可読媒体と称され得る。例えば、ソフトウェアが、ウェブサイト、サーバ、または他のリモート光ソースから、同軸ケーブル、光ファイバーケーブル、ツイストペア、デジタル加入者回線（ＤＳＬ）、または赤外線、電波、およびマイクロ波のようなワイヤレス技術を使用して送信される場合、同軸ケーブル、光ファイバーケーブル、ツイストペア、ＤＳＬ、または赤外線、電波、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ディスク（disk）は、通常磁気的にデータを再生し、ディスク（disc）は、レーザーを用いて光学的にデータを再生する。上記の組み合わせもまた、コンピュータ可読媒体の範囲内に含まれる。
【０１２６】
[0131]  本開示の以上の説明は、当業者が本開示を実行または使用することを可能にするために提供される。本開示に対する様々な修正は当業者には容易に明らかであり、本明細書で定義された包括的な原理は、本開示の精神または範囲から逸脱することなく、他の変形に適用され得る。本開示全体にわたって、「例となる」または「例示的な」という用語は、例または事例を示すものであり、言及された例についての任意の選好を暗に示すものでも必要とするものでもない。ゆえに、本開示は、本明細書で説明された例および設計に制限されることを意図せず、本明細書に開示された原理および新規な特徴に合致する最も広い適用範囲が与えられるべきである。
以下に本願発明の当初の特許請求の範囲に記載された発明を付記する。
［Ｃ１］
マルチメディアブロードキャストマルチキャストサービス（ＭＢＭＳ）を管理するための方法であって、
基地局のカバレッジエリア内で動作している間にＭＢＭＳのコンテンツを受信することと、
前記基地局の前記カバレッジエリアの外側で動作することへの移行を検知することと、
前記ＭＢＭＳの前記コンテンツの中継を要求するピア発見信号をブロードキャストすることと、ここで、前記ピア発見信号は、前記ＭＢＭＳの識別子を備える、
を備える方法。
［Ｃ２］
前記基地局の前記カバレッジエリア内で動作している１つまたは複数のデバイスから１つまたは複数のピア発見信号を受信すること、ここで、前記１つまたは複数のピア発見信号は、前記ＭＢＭＳの前記コンテンツを中継する前記１つまたは複数のデバイスの能力を示す、
をさらに備える、Ｃ１に記載の方法。
［Ｃ３］
前記ＭＢＭＳの前記コンテンツを中継するために前記基地局の前記カバレッジエリア内で動作している前記デバイスのうちの１つを識別することをさらに備える、Ｃ２に記載の方法。
［Ｃ４］
前記基地局の前記カバレッジエリア内で動作している識別されたデバイスとのダイレクトリンクを確立すること、ここで、前記識別されたデバイスは、前記ＭＢＭＳの前記コンテンツのためのＭＢＭＳ中継デバイスである、
をさらに備える、Ｃ１に記載の方法。
［Ｃ５］
前記基地局への再送のために、前記ＭＢＭＳのコンテンツを、前記基地局の前記カバレッジエリア内で動作している識別されたデバイスに送信すること
をさらに備える、Ｃ１に記載の方法。
［Ｃ６］
前記基地局への再送のために、ユニキャストデータを、前記基地局の前記カバレッジエリア内で動作している識別されたデバイスに送信すること
をさらに備える、Ｃ１に記載の方法。
［Ｃ７］
ページングメッセージを、前記基地局の前記カバレッジエリア内で動作している識別されたデバイスに送信することと、ここで、前記ページングメッセージは、前記識別されたデバイスにデータを送信したいという望みを示す、
前記ページングメッセージの送信に続いて、前記データを前記識別されたデバイスに送信することと、
をさらに備える、Ｃ１に記載の方法。
［Ｃ８］
前記基地局の前記カバレッジエリアの外側で動作することへの前記移行を検知することは、前記基地局の前記カバレッジエリアの外側で動作するよりも後に生じる、Ｃ１に記載の方法。
［Ｃ９］
前記基地局の前記カバレッジエリアの外側で動作することへの前記移行を検知することは、前記基地局の前記カバレッジエリアの外側で動作するよりも前に生じる、Ｃ１に記載の方法。
［Ｃ１０］
前記ＭＢＭＳの前記識別子は、一時的モバイルグループ識別子（ＴＭＧＩ）を備える、Ｃ１に記載の方法。
［Ｃ１１］
前記ピア発見信号は、ロングタームエボリューション（ＬＴＥ）ダイレクトピア発見信号を備える、Ｃ１に記載の方法。
［Ｃ１２］
マルチメディアブロードキャストマルチキャストサービス（ＭＢＭＳ）を管理するための装置であって、
基地局のカバレッジエリア内で動作している間にＭＢＭＳのコンテンツを受信するための手段と、
前記基地局の前記カバレッジエリアの外側で動作することへの移行を検知するための手段と、
前記ＭＢＭＳの前記コンテンツの中継を要求するピア発見信号をブロードキャストするための手段と、ここで、前記ピア発見信号は、前記ＭＢＭＳの識別子を備える、
を備える装置。
［Ｃ１３］
前記基地局の前記カバレッジエリア内で動作している１つまたは複数のデバイスから１つまたは複数のピア発見信号を受信するための手段、ここで、前記１つまたは複数のピア発見信号は、前記ＭＢＭＳの前記コンテンツを中継する前記１つまたは複数のデバイスの能力を示す、
をさらに備える、Ｃ１２に記載の装置。
［Ｃ１４］
前記ＭＢＭＳの前記コンテンツを中継するために前記基地局の前記カバレッジエリア内で動作している前記デバイスのうちの１つを識別するための手段をさらに備える、Ｃ１３に記載の装置。
［Ｃ１５］
前記基地局の前記カバレッジエリア内で動作している識別されたデバイスとのダイレクトリンクを確立するために手段、ここで、前記識別されたデバイスは、前記ＭＢＭＳの前記コンテンツのためのＭＢＭＳ中継デバイスである、
をさらに備える、Ｃ１２に記載の装置。
［Ｃ１６］
前記基地局への再送のために、前記ＭＢＭＳのコンテンツを、前記基地局の前記カバレッジエリア内で動作している識別されたデバイスに送信するための手段
をさらに備える、Ｃ１２に記載の装置。
［Ｃ１７］
前記基地局への再送のために、ユニキャストデータを、前記基地局の前記カバレッジエリア内で動作している識別されたデバイスに送信するための手段
をさらに備える、Ｃ１２に記載の装置。
［Ｃ１８］
ページングメッセージを、前記基地局の前記カバレッジエリア内で動作している識別されたデバイスに送信するための手段と、ここで、前記ページングメッセージは、データを前記識別されたデバイスに送信したいという望みを示す、
前記ページングメッセージの送信に続いて、前記データを前記識別されたデバイスに送信するための手段と、
をさらに備える、Ｃ１２に記載の装置。
［Ｃ１９］
前記基地局の前記カバレッジエリアの外側で動作することへの前記移行を検知するための前記手段は、前記基地局の前記カバレッジエリアの外側で動作するよりも後に、前記基地局の前記カバレッジエリアの外側で動作することへの前記移行を検知するための手段を備える、Ｃ１２に記載の装置。
［Ｃ２０］
前記基地局の前記カバレッジエリアの外側で動作することへの前記移行を検知するための前記手段は、前記基地局の前記カバレッジエリアの外側で動作するよりも前に、前記基地局の前記カバレッジエリアの外側で動作することへの前記移行を検知するための手段を備える、Ｃ１２に記載の装置。
［Ｃ２１］
前記ＭＢＭＳの前記識別子は、一時的モバイルグループ識別子（ＴＭＧＩ）を備える、Ｃ１２に記載の装置。
［Ｃ２２］
前記ピア発見信号は、ロングタームエボリューション（ＬＴＥ）ダイレクトピア発見信号を備える、Ｃ１２に記載の装置。
［Ｃ２３］
マルチメディアブロードキャストマルチキャストサービス（ＭＢＭＳ）を管理するための装置であって、
プロセッサと、
前記プロセッサと電子的に通信状態にあるメモリと、
前記メモリに記憶された命令と
を備え、前記命令は、
基地局のカバレッジエリア内で動作している間にＭＢＭＳのコンテンツを受信することと、
前記基地局の前記カバレッジエリアの外側で動作することへの移行を検知することと、
前記ＭＢＭＳの前記コンテンツの中継を要求するピア発見信号をブロードキャストすることと、ここで、前記ピア発見信号は、前記ＭＢＭＳの識別子を備える、
を行うために前記プロセッサによって実行可能である、装置。
［Ｃ２４］
前記命令は、
前記基地局の前記カバレッジエリア内で動作している１つまたは複数のデバイスから１つまたは複数のピア発見信号を受信すること、ここで、前記１つまたは複数のピア発見信号は、前記ＭＢＭＳの前記コンテンツを中継する前記１つまたは複数のデバイスの能力を示す、
を行うために前記プロセッサによって実行可能である、Ｃ２３に記載の装置。
［Ｃ２５］
前記命令は、
前記ＭＢＭＳの前記コンテンツを中継するために前記基地局の前記カバレッジエリア内で動作している前記デバイスのうちの１つを識別すること
を行うために前記プロセッサによって実行可能である、Ｃ２４に記載の装置。
［Ｃ２６］
前記命令は、
前記基地局の前記カバレッジエリア内で動作している識別されたデバイスとのダイレクトリンクを確立すること、ここで、前記識別されたデバイスは、前記ＭＢＭＳの前記コンテンツのためのＭＢＭＳ中継デバイスである、
を行うために前記プロセッサによって実行可能である、Ｃ２３に記載の装置。
［Ｃ２７］
前記命令は、
前記基地局への再送のために、前記ＭＢＭＳのコンテンツを、前記基地局の前記カバレッジエリア内で動作している識別されたデバイスに送信すること
を行うために前記プロセッサによって実行可能である、Ｃ２３に記載の装置。
［Ｃ２８］
前記命令は、
前記基地局への再送のために、ユニキャストデータを、前記基地局の前記カバレッジエリア内で動作している識別されたデバイスに送信すること
を行うために前記プロセッサによって実行可能である、Ｃ２３に記載の装置。
［Ｃ２９］
前記命令は、
ページングメッセージを、前記基地局の前記カバレッジエリア内で動作している識別されたデバイスに送信することと、ここで、前記ページングメッセージは、データを前記識別されたデバイスに送信したいという望みを示す、
前記ページングメッセージの送信に続いて、前記データを前記識別されたデバイスに送信することと、
を行うために前記プロセッサによって実行可能である、Ｃ２３に記載の装置。
［Ｃ３０］
前記ＭＢＭＳの前記識別子は、一時的モバイルグループ識別子（ＴＭＧＩ）を備える、Ｃ２３に記載の装置。
［Ｃ３１］
前記ピア発見信号は、ロングタームエボリューション（ＬＴＥ）ダイレクトピア発見信号を備える、Ｃ２３に記載の装置。
［Ｃ３２］
マルチメディアブロードキャストマルチキャストサービス（ＭＢＭＳ）を管理するためのコンピュータプログラム製品であって、前記コンピュータプログラム製品は、命令を記憶した非一時的なコンピュータ可読媒体を備え、前記命令は、
基地局のカバレッジエリア内で動作している間にＭＢＭＳのコンテンツを受信することと、
前記基地局の前記カバレッジエリアの外側で動作することへの移行を検知することと、
前記ＭＢＭＳの前記コンテンツの中継を要求するピア発見信号をブロードキャストすることと、ここで、前記ピア発見信号は、前記ＭＢＭＳの識別子を備える、
を行うためにプロセッサによって実行可能である、コンピュータプログラム製品。
［Ｃ３３］
前記命令は、
前記基地局の前記カバレッジエリア内で動作している１つまたは複数のデバイスから１つまたは複数のピア発見信号を受信すること、ここで、前記１つまたは複数のピア発見信号は、前記ＭＢＭＳの前記コンテンツを中継する前記１つまたは複数のデバイスの能力を示す、
を行うために前記プロセッサによって実行可能である、Ｃ３２に記載のコンピュータプログラム製品。
［Ｃ３４］
前記命令は、
前記ＭＢＭＳの前記コンテンツを中継するために前記基地局の前記カバレッジエリア内で動作している前記デバイスのうちの１つを識別すること
を行うために前記プロセッサによって実行可能である、Ｃ３３に記載のコンピュータプログラム製品。
［Ｃ３５］
前記命令は、
前記基地局の前記カバレッジエリア内で動作している識別されたデバイスとのダイレクトリンクを確立すること、ここで、前記識別されたデバイスは、前記ＭＢＭＳの前記コンテンツのためのＭＢＭＳ中継デバイスである、
を行うために前記プロセッサによって実行可能である、Ｃ３２に記載のコンピュータプログラム製品。
［Ｃ３６］
前記ＭＢＭＳの前記識別子は、一時的モバイルグループ識別子（ＴＭＧＩ）を備える、Ｃ３２に記載のコンピュータプログラム製品。
［Ｃ３７］
マルチメディアブロードキャストマルチキャストサービス（ＭＢＭＳ）を管理するための方法であって、
モバイルデバイスについてのカバレッジ外ステータスインジケータまたはＭＢＭＳクエリと、ＭＢＭＳの識別子とを備える第１のピア発見信号を前記モバイルデバイスから受信することと、
前記ＭＢＭＳのコンテンツを中継するかどうかを決定することと、
前記ＭＢＭＳの前記コンテンツを中継するとの決定を受けて、前記ＭＢＭＳの前記コンテンツを中継する能力を示す第２のピア発見信号を送信することと
を備える方法。
［Ｃ３８］
前記第２のピア発見信号を送信することは、
ダイレクトリンクを確立するためにページングメッセージを前記カバレッジ外モバイルデバイスに送信すること
を備える、Ｃ３７に記載の方法。
［Ｃ３９］
前記ＭＢＭＳの前記コンテンツを中継するかどうかを決定することは、
前記ＭＢＭＳのコンテンツが受信可能であるかどうかを決定するためにＭＢＭＳ制御チャネル（ＭＣＣＨ）を獲得すること
を含む、Ｃ３７に記載の方法。
［Ｃ４０］
ページングメッセージを前記モバイルデバイスに送信することと、ここで、前記ページングメッセージは、前記モバイルデバイスにデータを送信したいという望みを示す、
前記ページングメッセージの送信に続いて、前記データを前記モバイルデバイスに送信することと
をさらに備える、Ｃ３７に記載の方法。
［Ｃ４１］
前記ＭＢＭＳの前記コンテンツを中継するとの決定を受けて、現在のステータスをＭＢＭＳ中継ステータスにエスカレートさせること
をさらに備える、Ｃ３７に記載の方法。
［Ｃ４２］
前記ＭＢＭＳの前記識別子は、一時的モバイルグループ識別子（ＴＭＧＩ）を備える、Ｃ３７に記載の方法。
［Ｃ４３］
前記第１および第２のピア発見信号は、ロングタームエボリューション（ＬＴＥ）ダイレクトピア発見信号を備える、Ｃ３７に記載の方法。
［Ｃ４４］
マルチメディアブロードキャストマルチキャストサービス（ＭＢＭＳ）を管理するための装置であって、
モバイルデバイスについてのカバレッジ外ステータスインジケータまたはＭＢＭＳクエリと、ＭＢＭＳの識別子とを備える第１のピア発見信号を前記モバイルデバイスから受信するための手段と、
前記ＭＢＭＳのコンテンツを中継するかどうかを決定するための手段と、
前記ＭＢＭＳの前記コンテンツを中継するとの決定を受けて、前記ＭＢＭＳの前記コンテンツを中継する能力を示す第２のピア発見信号を送信するための手段と
を備える装置。
［Ｃ４５］
前記第２のピア発見信号を送信することは、
ダイレクトリンクを確立するためにページングメッセージを前記カバレッジ外モバイルデバイスに送信するための手段
を備える、Ｃ４４に記載の装置。
［Ｃ４６］
前記ＭＢＭＳの前記コンテンツを中継するかどうかを決定することは、
前記ＭＢＭＳのコンテンツが受信可能であるかどうかを決定するためにＭＢＭＳ制御チャネル（ＭＣＣＨ）を獲得するための手段
を備える、Ｃ４４に記載の装置。
［Ｃ４７］
ページングメッセージを前記モバイルデバイスに送信するための手段と、ここで、前記ページングメッセージは、前記モバイルデバイスにデータを送信したいという望みを示す、
前記ページングメッセージの送信に続いて、前記データを前記モバイルデバイスに送信するための手段と
をさらに備える、Ｃ４４に記載の装置。
［Ｃ４８］
前記ＭＢＭＳの前記コンテンツを中継するとの決定を受けて、現在のステータスをＭＢＭＳ中継ステータスにエスカレートさせるための手段
をさらに備える、Ｃ４４に記載の装置。
［Ｃ４９］
前記ＭＢＭＳの前記識別子は、一時的モバイルグループ識別子（ＴＭＧＩ）を備える、Ｃ４４に記載の装置。
［Ｃ５０］
前記第１および第２のピア発見信号は、ロングタームエボリューション（ＬＴＥ）ダイレクトピア発見信号を備える、Ｃ４４に記載の装置。
［Ｃ５１］
マルチメディアブロードキャストマルチキャストサービス（ＭＢＭＳ）を管理するための装置であって、
プロセッサと、
前記プロセッサと電子的に通信状態にあるメモリと、
前記メモリに記憶された命令と
を備え、前記命令は、
モバイルデバイスについてのカバレッジ外ステータスインジケータまたはＭＢＭＳクエリと、ＭＢＭＳの識別子とを備える第１のピア発見信号を前記モバイルデバイスから受信することと、
前記ＭＢＭＳのコンテンツを中継するかどうかを決定することと、
前記ＭＢＭＳの前記コンテンツを中継するとの決定を受けて、前記ＭＢＭＳの前記コンテンツを中継する能力を示す第２のピア発見信号を送信することと
を行うために前記プロセッサによって実行可能である、装置。
［Ｃ５２］
前記第２のピア発見信号を送信することを行うために前記プロセッサによって実行可能な前記命令は、
ダイレクトリンクを確立するためにページングメッセージを前記カバレッジ外モバイルデバイスに送信すること
を行うために前記プロセッサによって実行可能である、Ｃ５１に記載の装置。
［Ｃ５３］
前記ＭＢＭＳの前記コンテンツを中継するかどうかを決定することを行うために前記プロセッサによって実行可能な前記命令は、
前記ＭＢＭＳのコンテンツが受信可能であるかどうかを決定するためにＭＢＭＳ制御チャネル（ＭＣＣＨ）を獲得すること
を行うために前記プロセッサによって実行可能である、Ｃ５１に記載の装置。
［Ｃ５４］
前記命令は、
ページングメッセージを前記モバイルデバイスに送信することと、ここで、前記ページングメッセージは、前記モバイルデバイスにデータを送信したいという望みを示す、
前記ページングメッセージの送信に続いて、前記データを前記モバイルデバイスに送信することと
を行うことを前記プロセッサによって実行可能である、Ｃ５１に記載の装置。
［Ｃ５５］
前記命令は、
前記ＭＢＭＳの前記コンテンツを中継するとの決定を受けて、現在のステータスをＭＢＭＳ中継ステータスにエスカレートさせること
を行うために前記プロセッサによって実行可能である、Ｃ５１に記載の装置。
［Ｃ５６］
マルチメディアブロードキャストマルチキャストサービス（ＭＢＭＳ）を管理するためのコンピュータプログラム製品であって、前記コンピュータプログラム製品は、命令を記憶した非一時的なコンピュータ可読媒体を備え、前記命令は、
モバイルデバイスについてのカバレッジ外ステータスインジケータまたはＭＢＭＳクエリと、ＭＢＭＳの識別子とを備える第１のピア発見信号を前記モバイルデバイスから受信することと、
前記ＭＢＭＳのコンテンツを中継するかどうかを決定することと、
前記ＭＢＭＳの前記コンテンツを中継するとの決定を受けて、前記ＭＢＭＳの前記コンテンツを中継する能力を示す第２のピア発見信号を送信することと
を行うためにプロセッサによって実行可能である、コンピュータプログラム製品。
［Ｃ５７］
前記第２のピア発見信号を送信することを行うために前記プロセッサによって実行可能な前記命令は、
ダイレクトリンクを確立するためにページングメッセージを前記カバレッジ外モバイルデバイスに送信すること
を行うために前記プロセッサによって実行可能である、Ｃ５６に記載のコンピュータプログラム製品。
［Ｃ５８］
前記ＭＢＭＳの前記コンテンツを中継するかどうかを決定することを行うために前記プロセッサによって実行可能な前記命令は、
前記ＭＢＭＳのコンテンツが受信可能であるかどうかを決定するためにＭＢＭＳ制御チャネル（ＭＣＣＨ）を獲得すること
を行うために前記プロセッサによって実行可能である、Ｃ５６に記載のコンピュータプログラム製品。
［Ｃ５９］
前記命令は、
前記ＭＢＭＳの前記コンテンツを中継するとの決定を受けて、現在のステータスをＭＢＭＳ中継ステータスにエスカレートさせること
を行うために前記プロセッサによって実行可能である、Ｃ５６に記載のコンピュータプログラム製品。
【図１】
0006505694.tif 000002
【図２】
0006505694.tif 000003
【図３】
0006505694.tif 000004
【図４】
0006505694.tif 000005
【図５】
0006505694.tif 000006
【図６】
0006505694.tif 000007
【図７】
0006505694.tif 000008
【図８】
0006505694.tif 000009
【図９】
0006505694.tif 000010
【図１０】
0006505694.tif 000011